(57)【要約】【課題】空気に含まれる臭気成分やたばこ臭、ノネナール臭を取り除くことができ、送風と同時に無臭かつ清浄な空気を送気することができる扇風機を提供する。【解決手段】扇風機１０Ａは、前面および後面と内周縁部および外周縁部と中央開口とを有する脱臭具１９Ａと、後ガード１８に設置されてガード１８の後方へ発光する複数の発光部を有するＬＥＤテープライト２０とを有する。扇風機１０Ａでは、脱臭具１９Ａの後面を後ガード１８に対向させた状態で、脱臭具１９Ａの中央開口がモーターケース１４から前方へ延びる螺子パイプに挿入され、脱臭具１９Ａの内周縁部が後ガード１８の内周部とガード１８をモーターケース１４に固定するガード締付ナットとに挟まれた状態で螺子パイプに着脱可能に固定され、脱臭具１９Ａが羽根１６と後ガード１８の間に取り付けられている。【選択図】図１
2015129462.tif 000002
【特許請求の範囲】
【請求項１】
モーターを収容したモーターケースと、前記モーターから延びる回転軸に着脱可能に設置された羽根と、前記羽根の前方に位置する前ガードと、前記羽根の後方に位置する後ガードとを有し、所定風量の空気を前記前ガードの前方へ送風する扇風機において、
前記扇風機が、所定面積の前面および後面と内周縁部および外周縁部と中央開口とを有する脱臭具と、前記後ガードに設置されて該後ガードの後方へ発光する複数の発光部を有するＬＥＤ照明とを含み、前記脱臭具が、前記前後面間に存在する複数の通気路を有する連続気泡の軟質ポリウレタンフォームと、前記ポリウレタンフォームの壁面に固着されて前記空気に含まれる臭気を吸着する活性炭粉末と、前記ポリウレタンフォームの全体を包被する通気性の包装シートとから形成され、
前記扇風機では、前記脱臭具の後面を前記後ガードに対向させた状態で、前記脱臭具の中央開口が前記モーターケースから前方へ延びる螺子パイプに挿入され、前記脱臭具の内周縁部が前記後ガードの内周部と該後ガードを前記モーターケースに固定するガード締付ナットとに挟まれた状態で前記螺子パイプに着脱可能に固定され、前記脱臭具が前記羽根と前記後ガードとの間に取り付けられていることを特徴とする扇風機。
【請求項２】
モーターを収容したモーターケースと、前記モーターから延びる回転軸に着脱可能に設置された羽根と、前記羽根の前方に位置する前ガードと、前記羽根の後方に位置する後ガードとを有し、所定風量の空気を前記前ガードの前方へ送風する扇風機において、
前記扇風機が、所定面積の前面および後面と内周縁部および外周縁部と中央開口とを有する脱臭具と、前記後ガードに設置されて該後ガードの後方へ発光する複数の発光部を有するＬＥＤ照明とを含み、前記脱臭具が、前記空気に含まれる臭気を吸着する活性炭粉末を混入したポリエーテル系フォーム原料または前記活性炭粉末を混入したポリエステル系フォーム原料を発泡させて作られ、前記前後面間に存在する複数の通気路を有する連続気泡の軟質ポリウレタンフォームと、前記ポリウレタンフォームの全体を包被する通気性の包装シートとから形成され、
前記扇風機では、前記脱臭具の後面を前記後ガードに対向させた状態で、前記脱臭具の中央開口が前記モーターケースから前方へ延びる螺子パイプに挿入され、前記脱臭具の内周縁部が前記後ガードの内周部と該後ガードを前記モーターケースに固定するガード締付ナットとに挟まれた状態で前記螺子パイプに着脱可能に固定され、前記脱臭具が前記羽根と前記後ガードとの間に取り付けられていることを特徴とする扇風機。
【請求項３】
前記扇風機が、前記前後ガードと前記羽根とを上下方向へ旋回させる旋回機構を含み、前記扇風機では、前記前後ガードと前記羽根とが前方に向いた状態から該前後ガードと該羽根とを上下方向上方へ９０度旋回させたときに、前記前後ガードと前記羽根とが上方へ向くとともに前記ＬＥＤ照明の発光部が下方へ向き、前記発光部が発光したときのＬＥＤ照明の発熱によって前記空気が前記後ガードから前記前ガードに向かって流動する請求項１または請求項２に記載の扇風機。
【請求項４】
前記脱臭具の外周縁部が、前記羽根の径方向の寸法を二分する第１分割線の近傍に位置し、または、前記第１分割線によって区分された前記羽根の内側域と外側域とのうちの内側域に位置し、前記ＬＥＤ照明が、前記後ガードの径方向の寸法を三分する第２分割線によって区分された該後ガードの内側域と中間域と外側域とのうちの外側域に配置され、前記複数の発光部が、前記後ガードの周り方向へ並び、前記羽根が、前記脱臭具の外周縁と前記ＬＥＤ照明との間に露出している請求項１ないし請求項３いずれかに記載の扇風機。
【請求項５】
前記脱臭具の外周縁部が、前記羽根の径方向の寸法を二分する第１分割線の近傍に位置し、または、前記第１分割線によって区分された前記羽根の内側域と外側域とのうちの内側域に位置し、前記ＬＥＤ照明が、前記後ガードの径方向の寸法を三分する第２分割線によって区分された該後ガードの内側域と中間域と外側域とのうちの内側域に配置され、前記複数の発光部が、前記後ガードの周り方向へ並んでいる請求項１ないし請求項３いずれかに記載の扇風機。
【請求項６】
前記脱臭具の外周縁部が、前記羽根の径方向の寸法を二分する第１分割線によって区分された該羽根の内側域と外側域とのうちの外側域に位置し、前記ＬＥＤ照明が、前記後ガードの径方向の寸法を三分する第２分割線によって区分された該後ガードの内側域と中間域と外側域とのうちの中間域または内側域に配置され、前記複数の発光部が、前記後ガードの周り方向へ並んでいる請求項１ないし請求項３いずれかに記載の扇風機。
【請求項７】
前記複数の通気路が、前記軟質ポリウレタンフォームの壁面に囲繞されて該ポリウレタンフォームの内部に画成され、前記前面と前記後面との間で前記ポリウレタンフォームの厚み方向へ不規則に曲折しながら延びているとともに、前記内周縁部と前記外周縁部との間で前記ポリウレタンフォームの径方向へ不規則に曲折しながら延びている請求項１ないし請求項６いずれかに記載の扇風機。
【請求項８】
前記径方向へ隣接して前記厚み方向へ曲折して延びるそれら通気路が、前記径方向において部分的に繋がり、前記厚み方向へ隣接して前記径方向へ曲折して延びるそれら通気路が、前記厚み向において部分的に繋がっている請求項７に記載の扇風機。
【請求項９】
それら通気路の開口面積が、前記厚み方向に向かって不規則に変化しているとともに、前記径方向に向かって不規則に変化し、それら通気口の面積が、相違している請求項７または請求項８に記載の扇風機。
【請求項１０】
前記脱臭具が、前記軟質ポリウレタンフォームを支持する支持フレームを含み、前記支持フレームが、前記内周縁部に位置する内周枠と、前記外周縁部に位置する外周枠と、前記内周枠と前記外周枠とに繋がって径方向へ延びる連結枠とを有し、前記脱臭具の前面の側と後面の側とのいずれか一方の側であって前記軟質ポリウレタンフォームと前記包装シートとの間に介在している請求項１ないし請求項９いずれかに記載の扇風機。
【請求項１１】
前記脱臭具が、前記軟質ポリウレタンフォームを支持する支持フレームを含み、前記支持フレームが、前記ポリウレタンフォームと前記包装シートとの間であって前記脱臭具の前面の側に位置する第１支持フレームと、前記ポリウレタンフォームと前記包装シートとの間であって前記脱臭具の後面の側に位置する第２支持フレームとから形成され、前記第１および第２フレームが、前記内周縁部に位置する内周枠と、前記外周縁部に位置する外周枠と、前記内周枠と前記外周枠とに繋がって径方向へ延びる連結枠とを有し、前記ポリウレタンフォームが、前記第１および第２支持フレームの間に介在している請求項１ないし請求項９いずれかに記載の扇風機。
【請求項１２】
前記ＬＥＤ照明が、複数の発光部が並ぶＬＥＤテープライトである請求項１ないし請求項１１いずれかに記載の扇風機。
【請求項１３】
前記包装シートが、所定のメッシュ数を有するネットまたは微細な不純物を捕集するフィルタから作られている請求項１ないし請求項１２いずれかに記載の扇風機。
【請求項１４】
前記包装シートが、所定のメッシュ数を有して前記前面と前記後面とのうちのいずれか一方を形成するネットと、前記前面と前記後面とのうちのいずれか他方を形成して微細な不純物を捕集するフィルタとから作られている請求項１ないし請求項１３いずれかに記載の扇風機。
【請求項１５】
前記軟質ポリウレタンフォームの厚み寸法が、３〜１０ｍｍの範囲にあり、前記ポリウレタンフォームの質量が、３０〜６０ｇの範囲にある請求項１ないし請求項１４いずれかに記載の扇風機。
【請求項１６】
前記軟質ポリウレタンフォームの面速が、２０〜４０ｃｍ／ｓｅｃの範囲にある請求項１ないし請求項１５いずれかに記載の扇風機。
【発明の詳細な説明】
【技術分野】
【０００１】
本発明は、所定風量の空気を前ガードの前方へ送風する扇風機に関する。
【背景技術】
【０００２】
扇風機の回転羽根をガードする後ガードの背面を外方から被覆可能な環状のフィルタ材と、そのフィルタ材を展開状態で保持する環状の枠形状を有したフレームと、そのフレームを羽根ガードに係止する係止部材とを備え、フィルタ材が周方向に向かって複数の部分フィルタ材に分割され、フレームが周方向に向かって複数の部分フレームに分割された扇風機用フィルタが開示されている（特許文献１参照）。この扇風機用フィルタは、扇風機に容易に着脱することができ、フィルタのうちの破損した部分フィルタ材や汚れた部分フィルタ材のみを交換することができる。
【先行技術文献】
【特許文献】
【０００３】
【特許文献１】特開２００５−２４０６９７号公報
【発明の概要】
【発明が解決しようとする課題】
【０００４】
前記特許文献１に開示の扇風機用フィルタは、扇風機を利用して空気に含まれる塵埃を取り除くことはできるが、空気に含まれる臭気成分やたばこ臭、ノネナール臭を取り除くことはできない。なお、空気に含まれる臭気成分には、アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトンが含まれる。
【０００５】
本発明の目的は、空気に含まれる臭気成分やたばこ臭、ノネナール臭を取り除くことができ、送風と同時に無臭かつ清浄な空気を送気することができる扇風機を提供することにある。
【課題を解決するための手段】
【０００６】
前記課題を解決するための本発明の前提は、モーターを収容したモーターケースと、モーターから延びる回転軸に着脱可能に設置された羽根と、羽根の前方に位置する前ガードと、羽根の後方に位置する後ガードとを有し、所定風量の空気を前ガードの前方へ送風する扇風機である。
【０００７】
前記前提における本発明の第１の特徴は、扇風機が、所定面積の前面および後面と内周縁部および外周縁部と中央開口とを有する脱臭具と、後ガードに設置されて後ガードの後方へ発光する複数の発光部を有するＬＥＤ照明とを含み、脱臭具が、前後面間に存在する複数の通気路を有する連続気泡の軟質ポリウレタンフォームと、ポリウレタンフォームの壁面に固着されて空気に含まれる臭気を吸着する活性炭粉末と、ポリウレタンフォームの全体を包被する通気性の包装シートとから形成され、扇風機では、脱臭具の後面を後ガードに対向させた状態で、脱臭具の中央開口がモーターケースから前方へ延びる螺子パイプに挿入され、脱臭具の内周縁部が後ガードの内周部と後ガードをモーターケースに固定するガード締付ナットとに挟まれた状態で螺子パイプに着脱可能に固定され、脱臭具が羽根と後ガードとの間に取り付けられていることにある。
【０００８】
前記前提における本発明の第２の特徴は、扇風機が、所定面積の前面および後面と内周縁部および外周縁部と中央開口とを有する脱臭具と、後ガードに設置されて後ガードの後方へ発光する複数の発光部を有するＬＥＤ照明とを含み、脱臭具が、空気に含まれる臭気を吸着する活性炭粉末を混入したポリエーテル系フォーム原料または活性炭粉末を混入したポリエステル系フォーム原料を発泡させて作られ、前後面間に存在する複数の通気路を有する連続気泡の軟質ポリウレタンフォームと、ポリウレタンフォームの全体を包被する通気性の包装シートとから形成され、扇風機では、脱臭具の後面を後ガードに対向させた状態で、脱臭具の中央開口がモーターケースから前方へ延びる螺子パイプに挿入され、脱臭具の内周縁部が後ガードの内周部と後ガードをモーターケースに固定するガード締付ナットとに挟まれた状態で螺子パイプに着脱可能に固定され、脱臭具が羽根と後ガードとの間に取り付けられていることにある。
【０００９】
前記第１および第２の特徴を有する本発明の一例としては、扇風機が前後ガードと羽根とを上下方向へ旋回させる旋回機構を含み、扇風機では、前後ガードと羽根とが前方に向いた状態から前後ガードと羽根とを上下方向上方へ９０度旋回させたときに、前後ガードと羽根とが上方へ向くとともにＬＥＤ照明の発光部が下方へ向き、発光部が発光したときのＬＥＤ照明の発熱によって空気が後ガードから前ガードに向かって流動する。
【００１０】
前記第１および第２の特徴を有する本発明の他の一例としては、脱臭具の外周縁部が、羽根の径方向の寸法を二分する第１分割線の近傍に位置し、または、第１分割線によって区分された羽根の内側域と外側域とのうちの内側域に位置し、ＬＥＤ照明が後ガードの径方向の寸法を三分する第２分割線によって区分された後ガードの内側域と中間域と外側域とのうちの外側域に配置され、複数の発光部が後ガードの周り方向へ並び、羽根が脱臭具の外周縁とＬＥＤ照明との間に露出している。
【００１１】
前記第１および第２の特徴を有する本発明の他の一例としては、脱臭具の外周縁部が、羽根の径方向の寸法を二分する第１分割線の近傍に位置し、または、第１分割線によって区分された羽根の内側域と外側域とのうちの内側域に位置し、ＬＥＤ照明が後ガードの径方向の寸法を三分する第２分割線によって区分された後ガードの内側域と中間域と外側域とのうちの内側域に配置され、複数の発光部が後ガードの周り方向へ並んでいる。
【００１２】
前記第１および第２の特徴を有する本発明の他の一例としては、脱臭具の外周縁部が羽根の径方向の寸法を二分する第１分割線によって区分された該羽根の内側域と外側域とのうちの外側域に位置し、ＬＥＤ照明が後ガードの径方向の寸法を三分する第２分割線によって区分された後ガードの内側域と中間域と外側域とのうちの中間域または内側域に配置され、複数の発光部が後ガードの周り方向へ並んでいる。
【００１３】
前記第１および第２の特徴を有する本発明の他の一例としては、複数の通気路が、軟質ポリウレタンフォームの壁面に囲繞されてポリウレタンフォームの内部に画成され、前面と後面との間でポリウレタンフォームの厚み方向へ不規則に曲折しながら延びているとともに、内周縁部と外周縁部との間でポリウレタンフォームの径方向へ不規則に曲折しながら延びている。
【００１４】
前記第１および第２の特徴を有する本発明の他の一例としては、径方向へ隣接して厚み方向へ曲折して延びるそれら通気路が径方向において部分的に繋がり、厚み方向へ隣接して径方向へ曲折して延びるそれら通気路が厚み向において部分的に繋がっている。
【００１５】
前記第１および第２の特徴を有する本発明の他の一例としては、それら通気路の開口面積が、厚み方向に向かって不規則に変化しているとともに、径方向に向かって不規則に変化し、それら通気口の面積が相違している。
【００１６】
前記第１および第２の特徴を有する本発明の他の一例としては、脱臭具が軟質ポリウレタンフォームを支持する支持フレームを含み、支持フレームが、内周縁部に位置する内周枠と、外周縁部に位置する外周枠と、内周枠と外周枠とに繋がって径方向へ延びる連結枠とを有し、脱臭具の前面の側と後面の側とのいずれか一方の側であって軟質ポリウレタンフォームと包装シートとの間に介在している。
【００１７】
前記第１および第２の特徴を有する本発明の他の一例としては、脱臭具が軟質ポリウレタンフォームを支持する支持フレームを含み、支持フレームが、ポリウレタンフォームと包装シートとの間であって脱臭具の前面の側に位置する第１支持フレームと、ポリウレタンフォームと包装シートとの間であって脱臭具の後面の側に位置する第２支持フレームとから形成され、第１および第２フレームが、内周縁部に位置する内周枠と、外周縁部に位置する外周枠と、内周枠と外周枠とに繋がって径方向へ延びる連結枠とを有し、ポリウレタンフォームが第１および第２支持フレームの間に介在している。
【００１８】
前記第１および第２の特徴を有する本発明の他の一例としては、ＬＥＤ照明が複数の発光部が並ぶＬＥＤテープライトである。
【００１９】
前記第１および第２の特徴を有する本発明の他の一例としては、包装シートが所定のメッシュ数を有するネットまたは微細な不純物を捕集するフィルタから作られている。
【００２０】
前記第１および第２の特徴を有する本発明の他の一例としては、包装シートが、所定のメッシュ数を有して前面と後面とのうちのいずれか一方を形成するネットと、前面と後面とのうちのいずれか他方を形成して微細な不純物を捕集するフィルタとから作られている。
【００２１】
前記第１および第２の特徴を有する本発明の他の一例としては、軟質ポリウレタンフォームの厚み寸法が３〜１０ｍｍの範囲にあり、ポリウレタンフォームの質量が３０〜６０ｇの範囲にある。
【００２２】
前記第１および第２の特徴を有する本発明の他の一例としては、軟質ポリウレタンフォームの面速が２０〜４０ｃｍ／ｓｅｃの範囲にある。
【発明の効果】
【００２３】
第１の特徴を有する扇風機によれば、空気に含まれる臭気成分を吸着する活性炭粉末が固着された軟質ポリウレタンフォームを含む脱臭具が羽根と後ガードとの間に取り付けられているから、扇風機に進入した空気がポリウレタンフォームの通気路を通流するときに、空気に含まれる臭気成分やたばこ臭、ノネナール臭を活性炭に吸着させることができ、扇風機を通過する空気に含まれる臭気成分やたばこ臭、ノネナール臭を取り除くことができる。扇風機は、空気に含まれる臭気成分やたばこ臭、ノネナール臭が活性炭によって除去されるから、それら臭いを除去した清浄な空気を作ることができ、送風と同時に無臭かつ清浄な空気を送気することができる。扇風機は、後ガードから羽根に進入する空気の流速が遅く、空気がポリウレタンフォームの通気路をゆっくりと通流するから、脱臭具を羽根と前ガードとの間に設置する場合と比較し、空気の活性炭に対する接触時間を長くすることができ、空気に含まれる臭いを活性炭に確実に吸着させることができる。扇風機は、その稼働中に室内の空気がポリウレタンフォームの通気路を通流した後、再び扇風機に進入して通気路を通流し、空気が通気路を繰り返し通流（循環）するから、室内の空気が脱臭具によって次第に浄化され、扇風機を長時間稼働させることでその脱臭機能を十分に発揮させることができ、室内の空気に含まれる臭気を確実に取り除くことができる。
【００２４】
第２の特徴を有する扇風機によれば、空気に含まれる臭気成分を吸着する活性炭粉末を混入した軟質ポリウレタンフォームを含む脱臭具が羽根と後ガードとの間に取り付けられているから、扇風機に進入した空気がポリウレタンフォームの通気路を通流するときに、空気に含まれる臭気成分やたばこ臭、ノネナール臭を活性炭に吸着させることができ、扇風機を通過する空気に含まれる臭気成分やたばこ臭、ノネナール臭を取り除くことができる。扇風機は、空気に含まれる臭気成分やたばこ臭、ノネナール臭が活性炭によって除去されるから、それら臭いを除去した清浄な空気を作ることができ、送風と同時に無臭かつ清浄な空気を送気することができる。扇風機は、後ガードから羽根に進入する空気の流速が遅く、空気がポリウレタンフォームの通気路をゆっくりと通流するから、脱臭具を羽根と前ガードとの間に設置する場合と比較し、空気の活性炭に対する接触時間を長くすることができ、空気に含まれる臭いを活性炭に確実に吸着させることができる。扇風機は、その稼働中に室内の空気がポリウレタンフォームの通気路を通流した後、再び扇風機に進入して通気路を通流し、空気が通気路を繰り返し通流（循環）するから、室内の空気が脱臭具によって次第に浄化され、扇風機を長時間稼働させることでその脱臭機能を十分に発揮させることができ、室内の空気に含まれる臭気を確実に取り除くことができる。
【００２５】
前後ガードと羽根とを上下方向へ旋回させる旋回機構を含み、前後ガードと羽根とが前方に向いた状態から前後ガードと羽根とを上下方向上方へ９０度旋回させたときに、前後ガードと羽根とが上方へ向くとともにＬＥＤ照明の発光部が下方へ向き、発光部が発光したときのＬＥＤ照明の発熱によって空気が後ガードから前ガードに向かって流動する扇風機は、ＬＥＤ照明の発光部を下方へ向けた状態で発光部を発光させることで、照明器具として使用することができるとともに、羽根の回転を停止させた状態でもＬＥＤ照明の発熱によって空気が後ガードから前ガードに向かって流動し、空気が軟質ポリウレタンフォームの通気路をゆっくりと通流するから、空気に含まれる臭気成分やたばこ臭、ノネナール臭をポリウレタンフォームの活性炭に吸着させることができ、照明器具としての使用中に臭気成分やたばこ臭、ノネナール臭が除去された無臭かつ清浄な空気を作ることができる。扇風機は、羽根を上方へ向けた状態で羽根を回転させることで、室内の空気を上下方向へ流動かつ拡散させることができ、エアコンから供給された空調空気に含まれる臭気成分やたばこ臭、ノネナール臭を除去しつつ、無臭かつ清浄な空調空気を室内に満遍なく行き渡らせることができる。扇風機は、空気がポリウレタンフォームの通気路を繰り返し通流（循環）するから、室内の空気が脱臭具によって次第に浄化され、扇風機を長時間稼働させることでその脱臭機能を十分に発揮させることができ、室内の空気に含まれる臭気を確実に取り除くことができる。
【００２６】
脱臭具の外周縁部が羽根の径方向の寸法を二分する第１分割線の近傍に位置し、または、第１分割線によって区分された羽根の内側域と外側域とのうちの内側域に位置し、ＬＥＤ照明が後ガードの径方向の寸法を三分する第２分割線によって区分された後ガードの内側域と中間域と外側域とのうちの外側域に配置され、複数の発光部が後ガードの周り方向へ並び、羽根が脱臭具の外周縁とＬＥＤ照明との間に露出している扇風機は、羽根の略全域に流入する空気のすべてをポリウレタンフォームの通気路に通流させることができるとともに、扇風機から送風される空気の略すべてを浄化することができ、脱臭具によって臭気成分やたばこ臭、ノネナール臭が除去された無臭かつ清浄な空気を前ガードの前方へ送風することができる。扇風機は、羽根の中心部よりも羽根の外周部において空気の流速が速くなるが、扇風機の羽根の略１／３が脱臭具の径方向外方に露出するとともに羽根が脱臭具の外周縁とＬＥＤ照明との間に露出するから、脱臭具やＬＥＤ照明が羽根に進入する空気の抵抗になることはなく、羽根に空気をスムーズに流入させることができ、脱臭具によって臭気成分やたばこ臭、ノネナール臭が除去された無臭かつ清浄な空気を前ガードの前方へ円滑に送風することができる。扇風機は、ＬＥＤ照明が後ガードの外側域に配置されているから、ＬＥＤ照明の発光部を下方へ向けた状態で発光部を発光させることで、照明器具として使用することができるとともに、羽根の回転を停止させた状態でもＬＥＤ照明の発熱によって空気が後ガードから前ガードに向かって流動し、空気がポリウレタンフォームの通気路をゆっくりと通流するから、空気に含まれる臭気成分やたばこ臭、ノネナール臭を活性炭に吸着させることができ、照明器具としての使用中に臭気成分やたばこ臭、ノネナール臭が除去された無臭かつ清浄な空気を作ることができる。
【００２７】
脱臭具の外周縁部が羽根の径方向の寸法を二分する第１分割線の近傍に位置し、または、第１分割線によって区分された羽根の内側域と外側域とのうちの内側域に位置し、ＬＥＤ照明が後ガードの径方向の寸法を三分する第２分割線によって区分された後ガードの内側域と中間域と外側域とのうちの内側域に配置され、複数の発光部が後ガードの周り方向へ並んでいる扇風機は、羽根の略全域に流入する空気のすべてをポリウレタンフォームの通気路に通流させることができるとともに、扇風機から送風される空気の略すべてを浄化することができ、脱臭具によって臭気成分やたばこ臭、ノネナール臭が除去された無臭かつ清浄な空気を前ガードの前方へ送風することができる。扇風機は、羽根の中心部よりも羽根の外周部において空気の流速が速くなるが、扇風機の羽根の略１／２が脱臭具の径方向外方に露出するから、脱臭具やＬＥＤ照明が羽根に進入する空気の抵抗になることはなく、羽根に空気をスムーズに流入させることができ、脱臭具によって臭気成分やたばこ臭、ノネナール臭が除去された無臭かつ清浄な空気を前ガードの前方へ円滑に送風することができる。扇風機は、ＬＥＤ照明が後ガードの内側域に配置されているから、ＬＥＤ照明の発光部を下方へ向けた状態で発光部を発光させることで、照明器具として使用することができるとともに、羽根の回転を停止させた状態でもＬＥＤ照明の発熱によって空気が後ガードから前ガードに向かって流動し、空気がポリウレタンフォームの通気路をゆっくりと通流するから、空気に含まれる臭気成分やたばこ臭、ノネナール臭を活性炭に吸着させることができ、照明器具としての使用中に臭気成分やたばこ臭、ノネナール臭が除去された無臭かつ清浄な空気を作ることができる。
【００２８】
脱臭具の外周縁部が羽根の径方向の寸法を二分する第１分割線によって区分された羽根の内側域と外側域とのうちの外側域に位置し、ＬＥＤ照明が後ガードの径方向の寸法を三分する第２分割線によって区分された後ガードの内側域と中間域と外側域とのうちの中間域または内側域に配置され、複数の発光部が後ガードの周り方向へ並んでいる扇風機は、羽根の略全域に流入する空気のすべてをポリウレタンフォームの通気路に通流させることができるとともに、扇風機から送風される空気の略すべてを浄化することができ、脱臭具によって臭気成分やたばこ臭、ノネナール臭が除去された無臭かつ清浄な空気を前ガードの前方へ送風することができる。扇風機は、羽根の中心部よりも羽根の外周部において空気の流速が速くなるが、扇風機の羽根の略１／３が脱臭具の径方向外方に露出するから、脱臭具やＬＥＤ照明が羽根に進入する空気の抵抗になることはなく、羽根に空気をスムーズに流入させることができ、脱臭具によって臭気成分やたばこ臭、ノネナール臭が除去された無臭かつ清浄な空気を前ガードの前方へ円滑に送風することができる。扇風機は、ＬＥＤ照明が後ガードの中間域または内側域に配置されているから、ＬＥＤ照明の発光部を下方へ向けた状態で発光部を発光させることで、照明器具として使用することができるとともに、羽根の回転を停止させた状態でもＬＥＤ照明の発熱によって空気が後ガードから前ガードに向かって流動し、空気がポリウレタンフォームの通気路をゆっくりと通流するから、空気に含まれる臭気成分やたばこ臭、ノネナール臭を活性炭に吸着させることができ、照明器具としての使用中に臭気成分やたばこ臭、ノネナール臭が除去された無臭かつ清浄な空気を作ることができる。
【００２９】
複数の通気路が前面と後面との間でポリウレタンフォームの厚み方向へ不規則に曲折しながら延びているとともに、内周縁部と外周縁部との間でポリウレタンフォームの径方向へ不規則に曲折しながら延びている扇風機は、通気路が前面から後面に向かって直状に延びる場合と比較し、ポリウレタンフォームの内部における通気路の全長を長くすることができるとともに、ポリウレタンフォームの壁面の比表面積を大きくすることができるから、活性炭を塗布したポリウレタンフォームや活性炭を混入したポリウレタンフォームの臭気吸着機能を向上させることができ、扇風機に進入した空気に含まれる臭気成分やたばこ臭、ノネナール臭をポリウレタンフォームに塗布された活性炭やポリウレタンフォームに混入された活性炭に十分に吸着させることができる。扇風機は、空気に含まれる臭気成分やたばこ臭、ノネナール臭がポリウレタンフォームに塗布された活性炭やポリウレタンフォームに混入された活性炭によって吸着されるから、それら臭いを除去した無臭かつ清浄な空気を作ることができ、送風と同時に無臭かつ清浄な空気を送気することができる。
【００３０】
径方向へ隣接して厚み方向へ曲折して延びるそれら通気路が径方向において部分的に繋がり、厚み方向へ隣接して径方向へ曲折して延びるそれら通気路が厚み向において部分的に繋がっている扇風機は、ポリウレタンフォームの内部における通気路の全長が長くなり、空気が隣接する通気路に進入することで、活性炭に対する空気の接触時間を長くすることができるから、活性炭を塗布したポリウレタンフォームや活性炭を混入したポリウレタンフォームの臭気吸着機能を向上させることができ、扇風機に進入した空気に含まれる臭気成分やたばこ臭、ノネナール臭をポリウレタンフォームに塗布された活性炭やポリウレタンフォームに混入された活性炭に十分に吸着させることができる。扇風機は、空気に含まれる臭気成分やたばこ臭、ノネナール臭がポリウレタンフォームに塗布された活性炭やポリウレタンフォームに混入された活性炭によって吸着されるから、それら臭いを除去した無臭かつ清浄な空気を作ることができ、送風と同時に無臭かつ清浄な空気を送気することができる。
【００３１】
それら通気路の開口面積が厚み方向に向かって不規則に変化しているとともに、径方向に向かって不規則に変化している扇風機は、通気路の開口面積が同一である場合と比較し、通気路を通過する空気が通気路に確実に衝突するから、活性炭を塗布したポリウレタンフォームや活性炭を混入したポリウレタンフォームの臭気吸着機能を向上させることができ、扇風機に進入した空気に含まれる臭気成分やたばこ臭、ノネナール臭をポリウレタンフォームに塗布された活性炭やポリウレタンフォームに混入された活性炭に十分に吸着させることができる。扇風機は、空気に含まれる臭気成分やたばこ臭、ノネナール臭がポリウレタンフォームに塗布された活性炭やポリウレタンフォームに混入された活性炭によって吸着されるから、それら臭いを除去した無臭かつ清浄な空気を作ることができ、送風と同時に無臭かつ清浄な空気を送気することができる。
【００３２】
脱臭具が内外周枠と連結枠とを有して軟質ポリウレタンフォームを支持する支持フレームを含み、支持フレームが脱臭具の前面の側と後面の側とのいずれか一方の側であってポリウレタンフォームと包装シートとの間に介在している扇風機は、ポリウレタンフォームが支持フレームの内周枠や外周枠、連結枠によって支持されるとともに、支持フレームの内周枠が後ガードの内周部とガード締付ナットとに挟まれた状態で螺子パイプに固定され、脱臭具を後ガードと羽根との間に確実に固定することができるから、後ガードから羽根に向かって流動する空気をポリウレタンフォームの通気路に確実に通流させることができ、空気に含まれる臭気成分やたばこ臭、ノネナール臭をポリウレタンフォームに固着された活性炭やポリウレタンフォームに混入された活性炭に確実に吸着させることができる。
【００３３】
脱臭具が軟質ポリウレタンフォームを支持する支持フレームを含み、支持フレームが内外周枠と連結枠とを有して脱臭具の前面の側に位置する第１支持フレームと内外周枠と連結枠とを有して脱臭具の後面の側に位置する第２支持フレームとから形成され、ポリウレタンフォームが第１および第２支持フレームの間に介在している扇風機は、第１および第２支持フレームの内周枠や外周枠、連結枠によってポリウレタンフォームが支持されるとともに、支持フレームの内周枠が後ガードの内周部とガード締付ナットとに挟まれた状態で螺子パイプに固定され、脱臭具を後ガードと羽根との間に確実に固定することができるから、後ガードから羽根に向かって流動する空気をポリウレタンフォームの通気路に確実に通流させることができ、空気に含まれる臭気成分やたばこ臭、ノネナール臭をポリウレタンフォームに固着された活性炭やポリウレタンフォームに混入された活性炭に確実に吸着させることができる。
【００３４】
ＬＥＤ照明が複数の発光部が並ぶＬＥＤテープライトである扇風機は、ＬＥＤテープライトの発光部を下方へ向けた状態で発光部を発光させることで、照明器具として使用することができるとともに、羽根の回転を停止させた状態でもＬＥＤテープライトの発熱によって空気が後ガードから前ガードに向かって流動し、空気が軟質ポリウレタンフォームの通気路をゆっくりと通流するから、空気に含まれる臭気成分やたばこ臭、ノネナール臭を活性炭に吸着させることができ、照明器具としての使用中に臭気成分やたばこ臭、ノネナール臭が除去された無臭かつ清浄な空気を作ることができる。
【００３５】
包装シートが所定のメッシュ数を有するネットまたは微細な不純物を捕集するフィルタから作られている扇風機は、包装シートがネットから作られている場合、扇風機に進入した空気がネットを通過し、空気がネットに支持された軟質ポリウレタンフォームの通気路を通流するから、空気に含まれる臭気成分やたばこ臭、ノネナール臭を活性炭に吸着させることができ、扇風機に進入した空気に含まれる臭気成分やたばこ臭、ノネナール臭を確実に取り除くことができる。包装シートがフィルタから作られている場合、空気がフィルタを通流するときに空気に含まれる微細な塵埃や花粉、ＰＭ２．５等の不純物がフィルタに捕集され、空気に含まれる臭いとともにそれらの不純物を除去した無臭かつ清浄な空気を送気することができる。さらに、不純物がポリウレタンフォームに付着することがないから、不純物がポリウレタンフォームに付着することによる活性炭の臭い吸着機能の低下を防ぐことができ、空気に含まれる臭気成分やたばこ臭、ノネナール臭を活性炭に確実に吸着させることができる。
【００３６】
包装シートが所定のメッシュ数を有して前面および後面のいずれか一方を形成するネットと前面および後面のいずれか他方を形成して微細な不純物を捕集するフィルタとから作られている扇風機は、ネットが前面を形成しつつフィルタが後面を形成する場合、空気に含まれる微細な塵埃や花粉、ＰＭ２．５等の不純物がフィルタに捕集され、空気に含まれる臭いとともにそれらの不純物を除去した無臭かつ清浄な空気を送気することができるとともに、それらの不純物がポリウレタンフォームに付着することによる活性炭の臭い吸着機能の低下を防ぐことができ、空気に含まれる臭気成分やたばこ臭、ノネナール臭を活性炭に確実に吸着させることができる。フィルタが前面を形成しつつネットが後面を形成する場合、ネットを通過した空気がポリウレタンフォームの通気路を通流するから、空気に含まれる臭気成分やたばこ臭、ノネナール臭を活性炭に吸着させることができ、扇風機に進入した空気に含まれる臭気成分やたばこ臭、ノネナール臭を確実に取り除くことができる。また、臭気が除去された空気に含まれる微細な塵埃や花粉、ＰＭ２．５等の不純物がフィルタに捕集され、空気に含まれる臭気とともにそれらの不純物を除去した清浄な空気を送気することができる。
【００３７】
軟質ポリウレタンフォームの厚み寸法が３〜１０ｍｍの範囲にあり、ポリウレタンフォームの質量が３０〜６０ｇの範囲にある扇風機は、ポリウレタンフォームの厚み寸法を前記範囲にすることで、ポリウレタンフォームの壁面の比表面積を大きくすることができるから、活性炭粉末を固着したポリウレタンフォームや活性炭粉末を混入したポリウレタンフォームの臭い吸着機能を向上させることができ、扇風機に進入した空気に含まれる臭気成分やたばこ臭、ノネナール臭を活性炭に十分に吸着させることができる。また、ポリウレタンフォームの質量が前記範囲にあり、脱臭具を軽量にすることができるから、脱臭具を扇風機に容易に取り付けることができるとともに、脱臭具を扇風機から容易に取り外すことができ、脱臭具の扇風機への設置作業や交換作業を容易に行うことができる。
【００３８】
軟質ポリウレタンフォームの面速が２０〜４０ｃｍ／ｓｅｃの範囲にある扇風機は、ポリウレタンフォームの面速が前記範囲にあるから、脱臭具が羽根に進入する空気の抵抗になることはなく、空気を羽根にスムーズに流入させることができ、脱臭具によって臭気成分やたばこ臭、ノネナール臭が除去された無臭かつ清浄な空気を前ガードの前方へ円滑に送風することができる。また、扇風機に進入した空気がポリウレタンフォームの通気路を瞬時に通過することはなく、活性炭に空気を十分に接触させることができ、空気に含まれる臭気成分やたばこ臭、ノネナール臭をポリウレタンフォームに固着された活性炭やポリウレタンフォームに混入された活性炭に十分に吸着させることができる。
【図面の簡単な説明】
【００３９】
【図１】一例として示す扇風機の背面斜視図。
【図２】脱臭具を取り付けた扇風機の正面図。
【図３】一例として示す脱臭具の部分破断斜視図。
【図４】脱臭具を形成する軟質ポリウレタンフォームの部分拡大斜視図。
【図５】脱臭具の正面図。
【図６】脱臭具の背面図。
【図７】図３のＡ−Ａ線矢視断面図。
【図８】脱臭具を扇風機に取り付ける手順を説明する図。
【図９】扇風機の使用態様の一例を示す図。
【図１０】他の一例として示す扇風機の背面斜視図。
【図１１】脱臭具を取り付けた扇風機の正面図。
【図１２】扇風機の使用態様の一例を示す図。
【図１３】他の一例として示す扇風機の背面斜視図。
【図１４】脱臭具を取り付けた扇風機の正面図。
【図１５】他の一例として示す脱臭具の背面図。
【図１６】図１５のＢ−Ｂ線矢視断面図。
【図１７】他の一例として示す脱臭具の正面図。
【図１８】図１７のＣ−Ｃ線矢視断面図。
【図１９】他の一例として示す脱臭具の背面図。
【図２０】図１９のＤ−Ｄ線矢視断面図。
【図２１】他の一例として示す脱臭具の背面図。
【図２２】図２１のＥ−Ｅ線矢視断面図。
【図２３】他の一例として示す脱臭具の断面図。
【図２４】扇風機の脱臭機能の測定手順を説明する図。
【図２５】図２４から続く扇風機の脱臭機能の測定手順を説明する図。
【図２６】アンモニアに対する測定結果を示す図。
【図２７】トリメチルアミンに対する測定結果を示す図。
【図２８】メチルメルカプタンに対する測定結果を示す図。
【図２９】硫化水素に対する測定結果を示す図。
【図３０】酢酸に対する測定結果を示す図。
【図３１】アセトアルデヒドに対する測定結果を示す図。
【発明を実施するための形態】
【００４０】
一例として示す扇風機１０Ａの背面斜視図である図１等の添付の図面を参照し、本発明にかかる扇風機の詳細を説明すると、以下のとおりである。なお、図２は、脱臭具１９Ａを取り付けた扇風機１０Ａの正面図であり、図３は、一例として示す脱臭具１９Ａの部分破断斜視図である。図４は、脱臭具１９Ａを形成する軟質ポリウレタンフォーム２６の部分拡大斜視図であり、図５は、脱臭具１９Ａの正面図である。図６は、脱臭具１９Ａの背面図であり、図７は、図３のＡ−Ａ線矢視断面図である。図４では、前ガードの図示を省略している。図３では、径方向を矢印Ｘ、厚み方向を矢印Ｙで示し、周り方向を矢印Ｚで示す。
【００４１】
扇風機１０Ａは、それを通過する空気に含まれる臭いの除去に好適に使用される。なお、図１，２では、脱臭具１９Ａ（脱臭具１９Ｂ〜１９Ｆを含む）を取り付ける扇風機１０Ａとしてリビング扇を図示しているが、扇風機には、リビング扇のみならず、壁掛け扇風機、小型扇、ルーバー扇、ボックス扇風機、エアーサーキュレーター、卓上扇風機、クリップ扇風機、工業扇が含まれる。
【００４２】
扇風機１０Ａは、操作部１１を有するスタンド１２と、スタンド１２に伸縮可能に支持されたスライドパイプ１３と、スライドパイプ１３の上方に設置されてモーター（図示せず）を収容したモーターケース１４と、モーターから延びる回転軸１５（図８参照）に着脱可能に設置された羽根１６と、羽根１６の前方に位置する前ガード１７と、羽根１６の後方に位置する後ガード１８とを備え、脱臭具１９ＡとＬＥＤテープライト２０（ＬＥＤ照明）とを有する。
【００４３】
なお、図示はしていないが、モーターケース１４に首振り摘みが設置され、スタンド１２から電源プラグが延びている。また、ＬＥＤテープライト用ＡＣ／ＤＣアダプタが内蔵され、ＤＣジャックを有する電源コードがＡＣ／ＤＣアダプタから延びている。操作部１１には、扇風機を発停させるＯＮ／ＯＦＦスイッチやタイマー操作手段、風量調節操作手段の他に、ＬＥＤテープライト２０の発光部を点灯または消灯させるライトＯＮ／ＯＦＦスイッチ、ＬＥＤテープライト２０の発光部を間欠的に点灯させる点滅操作手段、ＬＥＤテープライト２０の発光部を調光する調光操作手段が設置されている。
【００４４】
扇風機１０Ａは、モーターケース１４（前後ガード１７，１８および羽根１６）を上下方向へ旋回させる旋回機構を有する。扇風機１０Ａでは、前後ガード１７，１８と羽根１６とが前方に向いた図１の状態からモーターケース１４（前後ガード１７，１８および羽根１６）を上下方向上方へ９０度旋回させることができ、前後ガード１７，１８と羽根１６とが上を向いた状態（図９参照）からモーターケース１４を上下方向下方へ９０度旋回させることができる。
【００４５】
脱臭具１９Ａは、羽根１６と後ガード１８との間であってガード１８の直前に着脱可能に取り付けられ、空気に含まれる臭い（臭気成分、たばこ臭、ノネナール臭）を除去する。脱臭具１９Ａは、所定面積を有するドーナツ状の前面２１および所定面積を有するドーナツ状の後面２２と、周り方向へ延びる内周縁部２３および周り方向へ延びる外周縁部２４と、内周縁部２３に囲繞された円形の中央開口２５とを有する。
【００４６】
脱臭具１９Ａは、連続気泡を有する軟質ポリウレタンフォーム２６と、空気に含まれる臭いを吸着する活性炭粉末（図示せず）と、ポリウレタンフォーム２６を支持する支持フレーム２７と、複数の網目を有するネット２８（通気性の包装シート）とから形成されている。脱臭具１９Ａは、その外周縁部２４が羽根１６の径方向の寸法を二分する第１分割線Ｌ１の近傍に位置している。なお、外周縁部２４が第１分割線Ｌ１によって区分された羽根１６の内側域Ｍ１と外側域Ｍ２とのうちの内側域Ｍ１に位置していてもよい。
【００４７】
軟質ポリウレタンフォーム２６は、ドーナツ状に成型されている。ポリウレタンフォーム２６は、図２に示すように、前後面２１，２２間に存在する複数の通気路２９と、通気路２９につながって前後面２１，２２に開口する複数の通気口３０とを有し、所定の厚みと可撓性とを有する。それら通気路２９は、ポリウレタンフォーム２６の壁面３１に囲繞されてポリウレタンフォーム２６の内部に画成されている。
【００４８】
活性炭粉末は、所定のバインダー（接着剤）によって軟質ポリウレタンフォーム２６の壁面３１に固着されている場合、または、ポリウレタンフォーム２６に練り込まれている場合がある。ポリウレタンフォーム２６の壁面３１に活性炭粉末を固着するには、活性炭粉末とバインダーとの混合塗料をポリウレタンフォーム２６に吹き付け塗装し、その混合塗料を乾燥させる場合、または、活性炭粉末とバインダーとの混合塗料にポリウレタンフォーム２６をドブ付けし、その混合塗料を乾燥させる場合がある。
【００４９】
活性炭粉末を塗布（固着）したポリウレタンフォーム２６では、その壁面３１に活性炭粉末が積層され、通気路２９を画成する壁面３１に活性炭の被覆層が形成される。活性炭粉末が練り込まれたポリウレタンフォーム２６は、活性炭粉末を混入したフォーム原料を発泡させることから作られている。活性炭粉末を混入したフォーム原料を発泡させたポリウレタンフォーム２６では、通気路２９を画成する壁面３１に活性炭が露出する。
【００５０】
ポリウレタンフォーム２６には、トリレンジイソシアネートとポリエーテルポリオール等を原料とするポリエーテル系フォーム、または、トリレンジイソシアネートと分岐ポリエステルポリオール等を原料とするポリエステル系フォームが使用されている。ポリウレタンフォーム２６は、フォーム原料に気泡径の調整等に使用する添加剤を加え、水と発泡助剤とによって発泡が行われる。
【００５１】
活性炭粉末は、約３００〜５０００ｍ2／ｇの比表面積を有し、臭いの高い吸着機能（ヨウ素やガス状セシウム等の放射性物質吸着機能を含む）を有する。活性炭粉末は、活性炭を微粉砕して作られており、その平均粒径が５〜１０μｍの範囲にある。活性炭粉末に加工する活性炭は、ヤシガラやおが屑、硬質の木材チップ、木炭、草炭等を原料として作られている。フォーム原料に対する活性炭粉末の混合割合は、フォーム原料１００重量％に対して活性炭粉末８０〜１８０重量％、好ましくは、フォーム原料１００重量％に対して活性炭粉末１００〜１５０重量％である。
【００５２】
通気路２９は、前面２１と後面２２との間においてポリウレタンフォーム２９の厚み方向へ不規則に曲折しながら延びているとともに、内周縁部２３と外周縁部２４との間においてポリウレタンフォーム２９の径方向へ不規則に曲折しながら延びている。径方向へ隣接して厚み方向へ曲折して延びるそれら通気路２９は径方向において部分的に繋がり、一方の通気路２９と他方の通気路２９とが互いに連通している。厚み方向へ隣接して径方向へ曲折して延びるそれら通気路２９は厚み向において部分的に繋がり、一方の通気路２９と他方の通気路２９とが互いに連通している。
【００５３】
それら通気路２９の開口面積は、厚み方向に向かって一様ではなく、厚み方向に向かって不規則に変化しているとともに、径方向に向かって一様ではなく、径方向に向かって不規則に変化している。それら通気路２９は、その開口面積が大きくなったり、小さくなったりしながら厚み方向と径方向とへ不規則に開口している。また、通気路２９に繋がるそれら通気口３０は、その面積が一様ではなく、その面積が相違している。
【００５４】
ポリウレタンフォーム２６は、その厚み寸法が３〜１０ｍｍの範囲、好ましくは４〜６ｍｍの範囲にある。ポリウレタンフォーム２６の厚み寸法が３ｍｍ未満では、ポリウレタンフォーム２６の壁面３１の比表面積を大きくすることができず、活性炭粉末を塗布したポリウレタンフォーム２６や活性炭粉末を混入したポリウレタンフォーム２６の臭い吸着機能を向上させることができない。ポリウレタンフォーム２６の厚み寸法が１０ｍｍを超過すると、ポリウレタンフォーム２６の空気抵抗が大きく、脱臭具１９Ａが扇風機１０Ａの羽根１６に進入する空気の抵抗になり、羽根１６に空気をスムーズに流入させることができない。
【００５５】
脱臭具１９Ａは、それを作るポリウレタンフォーム２６の厚み寸法が前記範囲にあるから、ポリウレタンフォーム２６の壁面３１の比表面積を大きくすることができ、活性炭粉末を塗布したポリウレタンフォーム２６や活性炭粉末を混入したポリウレタンフォーム２６の臭い吸着機能を向上させることができ、扇風機１０Ａに進入した空気に含まれる臭気成分やたばこ臭、ノネナール臭をポリウレタンフォーム２６に塗布された活性炭やポリウレタンフォーム２６に混入された活性炭に十分に吸着させることができる。また、ポリウレタンフォーム２６（脱臭具１９Ａ）が羽根１６に進入する空気の抵抗になることはなく、羽根１６に空気をスムーズに流入させることができる。
【００５６】
ポリウレタンフォーム２６は、その質量が３０〜６０ｇの範囲にある。脱臭具１９Ａは、ポリウレタンフォーム２６の質量が前記範囲にあり、脱臭具１９Ａを軽量にすることができるから、脱臭具１９Ａを扇風機１０Ａに容易に取り付けることができるとともに、脱臭具１９Ａを扇風機１０Ａから容易に取り外すことができ、脱臭具１９Ａの扇風機１０Ａへの設置作業や交換作業を容易に行うことができる。
【００５７】
脱臭具１９Ａは、それを作るポリウレタンフォーム２６の面速が２０〜４０ｃｍ／ｓｅｃの範囲、好ましくは２５〜３５ｃｍ／ｓｅｃの範囲にある。ポリウレタンフォーム２６の面速が２０ｃｍ／ｓｅｃ未満では、空気がポリウレタンフォーム２６をスムーズに通流することができず、脱臭具１９Ａが羽根１６に進入する空気の抵抗になり、羽根１６に空気をスムーズに流入させることができない。ポリウレタンフォーム２６の面速が４０ｃｍ／ｓｅｃを超過すると、扇風機１０Ａに進入した空気がポリウレタンフォーム２６の通気路２９を素早く通過し、通気路２９の壁面３１に空気を十分に接触させることができず、空気に含まれる臭気成分やたばこ臭、ノネナール臭をポリウレタンフォーム２６に塗布された活性炭やポリウレタンフォーム２６に混入された活性炭に十分に吸着させることができない。
【００５８】
脱臭具１９Ａは、ポリウレタンフォーム２６の面速が前記範囲にあるから、脱臭具１９Ａが羽根１６に進入する空気の抵抗になることはなく、羽根１６に空気をスムーズに流入させることができる。また、扇風機１０Ａに進入した空気がポリウレタンフォーム２６の通気路２９を素早く通過することはなく、通気路２９の壁面３１に空気を十分に接触させることができ、空気に含まれる臭気成分やたばこ臭、ノネナール臭をポリウレタンフォーム２６に塗布された活性炭やポリウレタンフォーム２６に混入された活性炭に十分に吸着させることができる。
【００５９】
支持フレーム２７は、プラスチック板や金属板から作られ、脱臭具１９Ａの内周縁部２３に位置して周り方向へ延びる内周枠３２と、外周縁部２４に位置して周り方向へ延びる外周枠３３と、内周枠３２と外周枠３３とに繋がって径方向へ直状に延びる連結枠３４とを有する。フレーム２７では、内周枠３２と外周枠３３と連結枠３４とが一体成形されている。フレーム２７は、脱臭具１９Ａの前面２１の側であってポリウレタンフォーム２６とネット２８との間に配置されている。ポリウレタンフォーム２６がフレーム２７に支持された状態で、フレーム２７の全体とポリウレタンフォーム２６の全体とがネット２８に包被されている。なお、フレーム２７が脱臭具１９Ａの後面２２の側であってポリウレタンフォーム２６とネット２８との間に配置されている場合がある。
【００６０】
ネット２８には、メッシュ数が１０メッシュ（１００×１００メッシュ）や１２メッシュ（１２０×１２０メッシュ）、２４メッシュ（２４０×２４０メッシュ）、３２メッシュ（３２０×３２０メッシュ）等を使用することができる。ネット２８は、脱臭具１９Ａの内周縁部２３に延びる部分が熱融着（ソニックシールやヒートシール）または縫製によって固着され、脱臭具１９Ａの外周縁部２４に延びる部分が熱融着または縫製によって固着されている。ネット２８は、ポリウレタンフォーム２６およびフレーム２７の全体を包被している。
【００６１】
ＬＥＤテープライト２０は、後ガード１８の径方向の寸法を三分する第２分割線Ｌ２によって区分されたガード１８の内側域Ｎ１と中間域Ｎ２と外側域Ｎ３とのうちの外側域Ｎ３に配置されている。テープライト２０は、両面テープ（図示せず）またはマウントクリップ（図示せず）によって後ガード１８の外側に設置・固定され、ガード１８の周り方向へ一連に延びている。テープライト２０は、後ガード１８の後方へ発光する複数の発光部（図示せず）を有する。それら発光部は、後ガード１８の後方へ向き、ガード１８の周り方向へ並んでいる。ＬＥＤテープライト２０の末端にはＤＣジャック（図示せず）が取り付けられ、そのＤＣジャックがＡＣ／ＤＣアダプタから延びる電源コードのＤＣジャックに接続されている。
【００６２】
図８は、脱臭具１９Ａを扇風機１０Ａに取り付ける手順を説明する図であり、図９は、扇風機１０Ａの使用態様の一例を示す図である。脱臭具１９Ａを扇風機１０Ａに取り付ける手順は、以下のとおりである。前ガード１７のクリップ３５を下方へ旋回させて前ガード１７と後ガード１８との係合を解除し、扇風機１０Ａから前ガード１７を取り外すとともに、羽根１６を回転軸１５（モーターシャフト）に固定するスピンナー３６を時計回り方向へ回転させて回転軸１５の先端部の螺子からスピンナー３６を取り外す。次に、回転軸１５の前方へ羽根１６を移動させ、羽根１６の軸孔を回転軸１５から抜き取って羽根１６を回転軸１５から取り外した後、ガード締付ナット３７を反時計回り方向へ回転させ、モーターケース１４から前方へ延びる螺子パイプ３８とガード締付ナット３７との螺着を解除し、螺子パイプ３８の螺子からガード締付ナット３７を取り外す。
【００６３】
ガード締付ナット３７を螺子パイプ３８から取り外した後、後面２２を後ガード１８に対向させた状態で、中央開口２５を回転軸１５に挿通するとともに、その中央開口２５を螺子パイプ３８に挿入する。なお、中央開口２５の直径は、螺子パイプ３８の直径よりもわずかに大きい。中央開口２５を螺子パイプ３８に挿入すると、脱臭具１９Ａの内周縁部２３（支持プレート２７の内周枠３２）が後ガード１８の内周部３９に当接する。
【００６４】
中央開口２５を螺子パイプ３８に挿入した後、螺子パイプ３８の螺子にガード締付ナット３７を当接させ、ガード締付ナット３７を時計回り方向へ回転させ、そのガード締付ナット３７を螺子パイプ３８の螺子に再び螺着する。ガード締付ナット３７を螺子パイプ３８に螺着すると、脱臭具１９Ａの内周縁部２３（支持フレーム２７の内周枠３２）がガード締付ナット３７と後ガード１８の内周部３９とに挟まれ、脱臭具１９Ａが扇風機１０Ａのモーターケース１４に固定される。
【００６５】
次に、羽根１６の軸孔を回転軸１５に挿通し、回転軸１５の先端部の螺子にスピンナー３６を当接させ、スピンナー３６を反時計回り方向へ回転させ、回転軸１５の先端部の螺子にスピンナー３６を再び螺着して羽根１６を回転軸１５に固定し、前ガード１７のガードリング４０と後ガード１８のガードリング４１との位置を合わせ、前ガード１７のクリップ３６を上方へ旋回させて前ガード１７と後ガード１８とを係合させる。脱臭具１９Ａを扇風機１０Ａに取り付けると、脱臭具１９Ａが後ガード１８と羽根１６との間に位置し、脱臭具１９Ａの外周縁部２４が羽根１６の径方向の寸法を二分する第１分割線Ｌ１の近傍に位置する（図２参照）。
【００６６】
扇風機１０Ａに脱臭具１９Ａを取り付けた後、操作部１１のＯＮ／ＯＦＦスイッチをＯＮにすると、モーターによって回転軸１５が回転するとともに、羽根１６が回転し、空気が後ガード１８の全域であってガード１８の後方から扇風機１０Ａに進入する。後ガード１８の後方から扇風機１０Ａに進入した空気は、ネット２８を通過してポリウレタンフォーム２６の通気口３０から通気路２９に進入した後、通気路２９を通流してポリウレタンフォーム２６の通気口３０から流出し、再びネット２８を通過して前ガード１７から扇風機１０Ａの前方へ送風される。なお、ポリウレタンフォーム２６の内部において通気路２９が厚み方向や径方向、周り方向へ不規則に曲折しながら延びているから、通気路２９を通流する空気が通気路２９の壁面に確実に接触する。
【００６７】
径方向や厚み方向、周り方向へ不規則に曲折して延びるポリウレタンフォーム２６の通気路２９に進入した空気は、通気路２９の壁面３１に接触し、空気に含まれる臭気成分（アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトン）やたばこ臭、ノネナール臭が通気路２９に形成された活性炭の被覆層や通気路２９に露出する活性炭に吸着される。脱臭具１９Ａによって臭気成分やたばこ臭、ノネナール臭が除去された無臭かつ清浄な空気が前ガード１７から扇風機１０Ａの前方へ送風される。
【００６８】
ＯＮ／ＯＦＦスイッチをＯＦＦにして羽根１６の回転を停止させ、図９に示すように、前後ガード１７，１８と羽根１６とが前方に向いた状態から旋回機構を介してモーターケース１４（前後ガード１７，１８および羽根１６）を上下方向上方へ９０度旋回させた後、ライトＯＮ／ＯＦＦスイッチをＯＮにしてＬＥＤテープライト２０（ＬＥＤ照明）の発光部を点灯させる。発光部を点灯（点滅および調光）させることで、扇風機１０Ａを照明器具として使用することができる。さらに、ＬＥＤテープライト２０の発熱によって空気が後ガード１８から前ガード１７に向かって流動し、空気がポリウレタンフォーム２６の通気路２９をゆっくりと通流するから、空気に含まれる臭気成分やたばこ臭、ノネナール臭を活性炭に吸着させることができ、照明器具としての使用中に臭気成分やたばこ臭、ノネナール臭が除去された無臭かつ清浄な空気を作ることができる。
【００６９】
扇風機１０Ａは、羽根１６を上方へ向けた状態でＯＮ／ＯＦＦスイッチをＯＮにして羽根１６を回転させることで、室内の空気を上下方向へ流動かつ拡散させることができ、エアコンから供給された空調空気に含まれる臭気成分やたばこ臭、ノネナール臭を除去しつつ、無臭かつ清浄な空調空気を室内に満遍なく行き渡らせることができる。
【００７０】
図１０は、他の一例として示す扇風機１０Ｂの背面斜視図であり、図１１は、脱臭具１９Ａを取り付けた扇風機１０Ｂの正面図である。図１２は、扇風機１０Ｂの使用態様の一例を示す図である。この扇風機１０Ｂが図１のそれと異なるところは、ＬＥＤテープライト２０（ＬＥＤ照明）が後ガード１８の内側域Ｎ１に配置されている点にあり、その他の構成は図１の扇風機１０Ａのそれらと同一であるから、図１と同一の符号を付すとともに図１の説明を援用することで、扇風機１０Ｂにおけるその他の構成の説明は省略する。
【００７１】
ＬＥＤテープライト２０は、後ガード１８の径方向の寸法を三分する第２分割線Ｌ２によって区分された後ガード１８の内側域Ｎ１と中間域Ｎ２と外側域Ｎ３とのうちの内側域Ｎ１に配置されている。テープライト２０は、両面テープまたはマウントクリップによって後ガード１８の外側に設置・固定され、ガード１８の周り方向へ一連に延びている。テープライト２０は、後ガード１８の後方へ発光する複数の発光部を有する。それら発光部は、後ガード１８の後方へ向き、ガード１８の周り方向へ並んでいる。ＬＥＤテープライト２０の末端にはＤＣジャックが取り付けられ、そのＤＣジャックがＡＣ／ＤＣアダプタから延びる電源コードのＤＣジャックに接続されている。
【００７２】
脱臭具１９Ａを扇風機１０Ｂに取り付ける手順は、脱臭具１９Ａを扇風機１０Ａに取り付ける手順と同一である（図８援用）。脱臭具１９Ａを扇風機１０Ｂに取り付けると、脱臭具１９Ａが後ガード１８と羽根１６との間に位置し、脱臭具１９Ａの外周縁部２４が羽根１６の径方向の寸法を二分する第１分割線Ｌ１の近傍に位置する。なお、脱臭具１９Ａの外周縁部２４が羽根１６の内側域Ｍ１に位置する場合もある。
【００７３】
羽根１６が回転すると、空気が後ガード１８の全域であってガード１８の後方から扇風機１０Ｂに進入する。扇風機１０Ｂに進入した空気は、ネット２８を通過してポリウレタンフォーム２６の通気口３０から通気路２９に進入した後、通気路２９を通流してポリウレタンフォーム２６の通気口３０から流出し、再びネット２８を通過して前ガード１７から扇風機１０Ｂの前方へ送風される。径方向や厚み方向、周り方向へ不規則に曲折して延びるポリウレタンフォーム２６の通気路２９に進入した空気は、通気路２９の壁面３１に接触し、空気に含まれる臭気成分やたばこ臭、ノネナール臭が通気路２９に形成された活性炭の被覆層や通気路２９に露出する活性炭に吸着される。脱臭具１９Ａによって臭気成分やたばこ臭、ノネナール臭が除去された無臭かつ清浄な空気が前ガード１７から扇風機１０Ｂの前方へ送風される。
【００７４】
羽根１６の回転を停止させ、図１２に示すように、旋回機構を介してモーターケース１４（前後ガード１７，１８および羽根１６）を上下方向上方へ９０度旋回させた後、ＬＥＤテープライト２０（ＬＥＤ照明）の発光部を点灯（点滅および調光）させることで、扇風機１０Ｂを照明器具として使用することができるとともに、ＬＥＤテープライト２０の発熱によって空気が後ガード１８から前ガード１７に向かって流動し、空気がポリウレタンフォーム２６の通気路２９をゆっくりと通流するから、空気に含まれる臭気成分やたばこ臭、ノネナール臭を活性炭に吸着させることができ、照明器具としての使用中に臭気成分やたばこ臭、ノネナール臭が除去された無臭かつ清浄な空気を作ることができる。扇風機１０Ｂは、羽根１６を上方へ向けた状態で羽根１６を回転させることで、室内の空気を上下方向へ流動かつ拡散させることができ、エアコンから供給された空調空気に含まれる臭気成分やたばこ臭、ノネナール臭を除去しつつ、無臭かつ清浄な空調空気を室内に満遍なく行き渡らせることができる。
【００７５】
図１３は、他の一例として示す扇風機１０Ｃの背面斜視図であり、図１４は、脱臭具１９Ａを取り付けた扇風機１０Ｃの正面図である。この扇風機１０Ｃが図１のそれと異なるところは、脱臭具１９Ａの外周縁部２４が羽根１６の外側域Ｍ２に位置する点、ＬＥＤテープライト２０（ＬＥＤ照明）が後ガード１８の中間域Ｎ２に配置されている点にあり、その他の構成は図１の扇風機１０Ａのそれらと同一であるから、図１と同一の符号を付すとともに図１の説明を援用することで、扇風機１０Ｃにおけるその他の構成の説明は省略する。
【００７６】
ＬＥＤテープライト２０は、後ガード１８の径方向の寸法を三分する第２分割線Ｌ２によって区分された後ガード１８の内側域Ｎ１と中間域Ｎ２と外側域Ｎ３とのうちの中間域Ｎ２に配置されている。なお、扇風機１０Ｃでは、テープライト２０が後ガード１８の内側域Ｎ１に配置される場合もある。テープライト２０は、両面テープまたはマウントクリップによって後ガード１８の外側に設置・固定され、ガード１８の周り方向へ一連に延びている。テープライト２０は、後ガード１８の後方へ発光する複数の発光部を有する。それら発光部は、後ガード１８の後方へ向き、ガード１８の周り方向へ並んでいる。
【００７７】
脱臭具１９Ａを扇風機１０Ｃに取り付ける手順は、脱臭具１９Ａを扇風機１０Ａに取り付ける手順と同一である（図８援用）。脱臭具１９Ａを扇風機１０Ｃに取り付けると、脱臭具１９Ａが後ガード１８と羽根１６との間に位置し、脱臭具１９Ａの外周縁部２４が羽根１６の径方向の寸法を二分する第１分割線Ｌ１によって区分された羽根１６の内側域Ｍ１と外側域Ｍ２とのうちの外側域Ｍ２に位置する。
【００７８】
羽根１６が回転すると、空気が後ガード１８の全域であってガード１８の後方から扇風機１０Ｃに進入する。扇風機１０Ｃに進入した空気は、ネット２８を通過してポリウレタンフォーム２６の通気口３０から通気路２９に進入した後、通気路２９を通流してポリウレタンフォーム２６の通気口３０から流出し、再びネット２８を通過して前ガード１７から扇風機１０Ｃの前方へ送風される。径方向や厚み方向、周り方向へ不規則に曲折して延びるポリウレタンフォーム２６の通気路２９に進入した空気は、通気路２９の壁面３１に接触し、空気に含まれる臭気成分やたばこ臭、ノネナール臭が通気路２９に形成された活性炭の被覆層や通気路２９に露出する活性炭に吸着される。脱臭具１９Ａによって臭気成分やたばこ臭、ノネナール臭が除去された無臭かつ清浄な空気が前ガード１７から扇風機１０Ｃの前方へ送風される。
【００７９】
羽根１６の回転を停止させ、旋回機構を介してモーターケース１４（前後ガード１７，１８および羽根１６）を上下方向上方へ９０度旋回させた後（図９，１２援用）、ＬＥＤテープライト２０（ＬＥＤ照明）の発光部を点灯（点滅および調光）させることで、扇風機１０Ｃを照明器具として使用することができるとともに、ＬＥＤテープライト２０の発熱によって空気が後ガード１８から前ガード１７に向かって流動し、空気がポリウレタンフォーム２６の通気路２９をゆっくりと通流するから、空気に含まれる臭気成分やたばこ臭、ノネナール臭を活性炭に吸着させることができ、照明器具としての使用中に臭気成分やたばこ臭、ノネナール臭が除去された無臭かつ清浄な空気を作ることができる。扇風機１０Ｃは、羽根１６を上方へ向けた状態で羽根１６を回転させることで、室内の空気を上下方向へ流動かつ拡散させることができ、エアコンから供給された空調空気に含まれる臭気成分やたばこ臭、ノネナール臭を除去しつつ、無臭かつ清浄な空調空気を室内に満遍なく行き渡らせることができる。
【００８０】
図１５は、他の一例として示す脱臭具１９Ｂの背面図であり、図１６は、図１５のＢ−Ｂ線矢視断面図である。図１５では、径方向を矢印Ｘで示し、周り方向を矢印Ｚで示す。なお、脱臭具１９Ｂの正面図は、図５と同一に表れる。この脱臭具１９Ｂが図１のそれと異なるところは、包装シートが前面２１を形成するネット２８と後面２２を形成するフィルタ４２とから作られている点にあり、その他の構成は図３の脱臭具１９Ａのそれらと同一であるから、図３の脱臭具１９Ａと同一の符号を付すとともに脱臭具１９Ａの説明を援用することで、脱臭具１９Ｂにおけるその他の構成の詳細な説明は省略する。
【００８１】
脱臭具１９Ｂは、脱臭具１９Ａと同様に、扇風機１０Ａ〜１０Ｃの羽根１６と後ガード１８との間であってガード１８の直前に着脱可能に取り付けられ、扇風機１０Ａ〜１０Ｃを通過する空気に含まれる臭い（臭気成分、たばこ臭、ノネナール臭）を除去する。脱臭具１９Ｂは、所定面積を有するドーナツ状の前面２１および所定面積を有するドーナツ状の後面２２と、内周縁部２３および外周縁部２４と、内周縁部２３に囲繞された中央開口２５とを有する。
【００８２】
脱臭具１９Ｂは、連続気泡を有する軟質ポリウレタンフォーム２６と、空気に含まれる臭いを吸着する活性炭粉末と、ポリウレタンフォーム２６を支持する支持フレーム２７と、前面２１を形成するネット２８（通気性の包装シート）および後面２２を形成して微細な不純物を捕集するフィルタ４２（通気性の包装シート）とから形成されている。活性炭粉末は、所定のバインダー（接着剤）によって軟質ポリウレタンフォーム２６の壁面３１に固着され、または、ポリウレタンフォーム２６に練り込まれている。なお、ネット２８が後面２２を形成し、フィルタ４２が前面２１を形成する場合がある。
【００８３】
ネット２８は、脱臭具１９Ａのそれと同一である。フィルタ４２には、粗塵用フィルタ、中高性能フィルタ、ＨＥＰＡフィルタ、ＵＬＰＡフィルタのうちのいずれかが使用されている。フィルタ４２は、エレクトレット化されている。フィルタ４２をエレクトレット化する一例としては、エレクトレット処理装置を利用し、針状電極と電極との距離を２５ｍｍとし、印可電圧を２５ｋｖとするとともに、処理温度を８０℃としてエレクトレット処理を行う。なお、フィルタ４２がエレクトレット化されていなくてもよい。ネット２８とフィルタ４２とは、脱臭具１９Ｂの内周縁部２３に延びる部分が熱融着または縫製によって固着され、脱臭具１９Ｂの外周縁部２４に延びる部分が熱融着または縫製によって固着されている。ネット２８やフィルタ４２は、軟質ポリウレタンフォーム２６およびフレーム２７の全体を包被している。
【００８４】
ポリウレタンフォーム２６や支持フレーム２７は、脱臭具１９Ａのそれらと同一である。ポリウレタンフォーム２６の厚み寸法や質量、面速は、脱臭具１９Ａのそれらと同一であり、厚み寸法や質量、面速をその範囲にする理由は、脱臭具１９Ａのそれと同一である。フレーム２７は、脱臭具１９Ｂの前面２１の側であってポリウレタンフォーム２６とネット２８との間に配置されている。ポリウレタンフォーム２６がフレーム２７に支持された状態で、フレーム２７の全体とポリウレタンフォーム２６の全体とがネット２８とフィルタ４２とに包被されている。なお、フレーム２７が脱臭具１９Ｂの後面２２の側であってポリウレタンフォーム２６とフィルタ４２との間に配置されている場合がある。
【００８５】
脱臭具１９Ｂを扇風機１０Ａ〜１０Ｃに取り付ける手順は、脱臭具１９Ａを扇風機１０Ａに取り付ける手順と同一である（図８援用）。脱臭具１９Ｂを扇風機１０Ａ，１０Ｂに取り付けると、脱臭具１９Ｂが後ガード１８と羽根１６との間に位置し、脱臭具１９Ｂの外周縁部１４が羽根１６の径方向の寸法を二分する第１分割線Ｌ１の近傍に位置し（図２，１１援用）、または、外周縁部２４が第１分割線Ｌ１によって区分された羽根１６の内側域Ｍ１と外側域Ｍ２とのうちの内側域Ｍ１に位置する。また、脱臭具１９Ｂを扇風機１０Ｃに取り付けると、脱臭具１９Ｂが後ガード１８と羽根１６との間に位置し、脱臭具１９Ｂの外周縁部２４が羽根１６の径方向の寸法を二分する第１分割線Ｌ１によって区分された羽根１６の内側域Ｍ１と外側域Ｍ２とのうちの外側域Ｍ２に位置する。
【００８６】
後ガード１８の後方から扇風機１０Ａ〜１０Ｃに進入した空気は、フィルタ４２を通流し、脱臭具１９Ｂの後面２２からポリウレタンフォーム２６の通気路２９に進入し、通気路２９を通流した後、ネット２８を通過して前ガード１７から扇風機１０Ａ〜１０Ｃの前方へ送風される。空気がフィルタ４２を通流するときに空気に含まれる微細な塵埃や花粉、ＰＭ２．５等の不純物がフィルタ４２に捕集される。空気に含まれる微細な不純物がフィルタ４２によって除去されるから、ポリウレタンフォーム２６の通気路２９に不純物が付着することはなく、活性炭の臭い吸着機能が低下することはない。
【００８７】
径方向や厚み方向、周り方向へ不規則に曲折して延びるポリウレタンフォーム２６の通気路２９に進入した空気は、通気路２９の壁面３１に接触し、空気に含まれる臭気成分やたばこ臭、ノネナール臭が通気路２９に形成された活性炭の被覆層や通気路２９に露出する活性炭に吸着される。フィルタ４２によって微細な不純物が除去されるとともに脱臭具１９Ｂによって臭気成分やたばこ臭、ノネナール臭が除去された無臭かつ清浄な空気が前ガード１７から扇風機１０Ａ〜１０Ｃの前方へ送風される。
【００８８】
図１７は、他の一例として示す脱臭具１９Ｃの正面図であり、図１８は、図１７のＣ−Ｃ線矢視断面図である。図１７では、径方向を矢印Ｘで示し、周り方向を矢印Ｚで示す。なお、脱臭具１９Ｃの背面図は、図１５と同一に表れる。この脱臭具１９Ｃが図１のそれと異なるところは、包装シートが前面２１を形成するフィルタ４２と後面２２を形成するフィルタ４２とから作られている点にあり、その他の構成は図３の脱臭具１９Ａのそれらと同一であるから、図３の脱臭具１９Ａと同一の符号を付すとともに脱臭具１９Ａの説明を援用することで、脱臭具１９Ｃにおけるその他の構成の詳細な説明は省略する。
【００８９】
脱臭具１９Ｃは、脱臭具１９Ａと同様に、扇風機１０Ａ〜１０Ｃの羽根１６と後ガード１８との間であってガード１８の直前に着脱可能に取り付けられ、扇風機１０Ａ〜１０Ｃを通過する空気に含まれる臭い（臭気成分、たばこ臭、ノネナール臭）を除去する。脱臭具１９Ｃは、所定面積を有するドーナツ状の前面２１および所定面積を有するドーナツ状の後面２２と、内周縁部２３および外周縁部２４と、内周縁部２３に囲繞された中央開口２５とを有する。
【００９０】
脱臭具１９Ｃは、連続気泡を有する軟質ポリウレタンフォーム２６と、空気に含まれる臭いを吸着する活性炭粉末と、ポリウレタンフォーム２６を支持する支持フレーム２７と、前面２１を形成して微細な不純物を捕集するフィルタ４２（通気性の包装シート）および後面２２を形成して微細な不純物を捕集するフィルタ４２（通気性の包装シート）とから形成されている。活性炭粉末は、所定のバインダー（接着剤）によって軟質ポリウレタンフォーム２６の壁面３１に固着され、または、ポリウレタンフォーム２６に練り込まれている。
【００９１】
フィルタ４２は、脱臭具１９Ｂのそれと同一であり、エレクトレット化されていることが好ましい。フィルタ４２は、脱臭具１９Ｃの内周縁部２３に延びる部分が熱融着または縫製によって固着され、脱臭具１９Ｃの外周縁部２４に延びる部分が熱融着または縫製によって固着されている。フィルタ４２は、軟質ポリウレタンフォーム２６およびフレーム２７の全体を包被している。
【００９２】
ポリウレタンフォーム２６や支持フレーム２７は、脱臭具１９Ａのそれらと同一である。ポリウレタンフォーム２６の厚み寸法や質量、面速は、脱臭具１９Ａのそれらと同一であり、厚み寸法や質量、面速をその範囲にする理由は、脱臭具１９Ａのそれと同一である。フレーム２７は、脱臭具１９Ｃの前面２１の側であってポリウレタンフォーム２６とフィルタ４２との間に配置されている。ポリウレタンフォーム２６がフレーム２７に支持された状態で、フレーム２７の全体とポリウレタンフォーム２６の全体とがフィルタ４２に包被されている。なお、フレーム２７が脱臭具１９Ｃの後面２２の側であってポリウレタンフォーム２６とフィルタ４２との間に配置されている場合がある。
【００９３】
脱臭具１９Ｃを扇風機１０Ａ〜１０Ｃに取り付ける手順は、脱臭具１９Ａを扇風機１０Ａに取り付ける手順と同一である（図８援用）。脱臭具１９Ｃを扇風機１０Ａ，１０Ｂに取り付けると、脱臭具１９Ｃが後ガード１８と羽根１６との間に位置し、脱臭具１９Ｃの外周縁部１４が羽根１６の径方向の寸法を二分する第１分割線Ｌ１の近傍に位置し（図２，１１援用）、または、外周縁部２４が第１分割線Ｌ１によって区分された羽根１６の内側域Ｍ１と外側域Ｍ２とのうちの内側域Ｍ１に位置する。また、脱臭具１９Ｃを扇風機１０Ｃに取り付けると、脱臭具１９Ｃが後ガード１８と羽根１６との間に位置し、脱臭具１９Ｃの外周縁部２４が羽根１６の径方向の寸法を二分する第１分割線Ｌ１によって区分された羽根１６の内側域Ｍ１と外側域Ｍ２とのうちの外側域Ｍ２に位置する。
【００９４】
後ガード１８の後方から扇風機１０Ａ〜１０Ｃに進入した空気は、フィルタ４２を通流し、脱臭具１９Ｃの後面２２からポリウレタンフォーム２６の通気路２９に進入し、通気路２９を通流した後、フィルタ４２を通流して前ガード１７から扇風機１０Ａ〜１０Ｃの前方へ送風される。空気がフィルタ４２を通流するときに空気に含まれる微細な塵埃や花粉、ＰＭ２．５等の不純物がフィルタ４２に捕集される。空気に含まれる微細な不純物がフィルタ４２によって除去されるから、ポリウレタンフォーム２６の通気路２９に不純物が付着することはなく、活性炭の臭い吸着機能が低下することはない。
【００９５】
径方向や厚み方向、周り方向へ不規則に曲折して延びるポリウレタンフォーム２６の通気路２９に進入した空気は、通気路２９の壁面３１に接触し、空気に含まれる臭気成分やたばこ臭、ノネナール臭が通気路２９に形成された活性炭の被覆層や通気路２９に露出する活性炭に吸着される。フィルタ４２によって微細な不純物が除去されるとともに脱臭具１９Ｃによって臭気成分やたばこ臭、ノネナール臭が除去された無臭かつ清浄な空気が前ガード１７から扇風機１０Ａ〜１０Ｃの前方へ送風される。
【００９６】
図１９は、他の一例として示す脱臭具１９Ｄの背面図であり、図２０は、図１９のＤ−Ｄ線矢視断面図である。図１９では、径方向を矢印Ｘで示し、周り方向を矢印Ｚで示す。なお、脱臭具１９Ｄの正面図は、図５と同一に表れる。この脱臭具１９Ｅが図１のそれと異なるところは、支持フレームが第１支持フレーム２７Ａと第２支持フレーム２７Ｂとから形成されている点にあり、その他の構成は図３の脱臭具１９Ａのそれらと同一であるから、図３の脱臭具１９Ａと同一の符号を付すとともに脱臭具１９Ａの説明を援用することで、脱臭具１９Ｄにおけるその他の構成の詳細な説明は省略する。
【００９７】
脱臭具１９Ｄは、脱臭具１９Ａと同様に、扇風機１０Ａ〜１０Ｃの羽根１６と後ガード１８との間であってガード１８の直前に着脱可能に取り付けられ、扇風機１０Ａ〜１０Ｃを通過する空気に含まれる臭い（臭気成分、たばこ臭、ノネナール臭）を除去する。脱臭具１９Ｄは、所定面積を有するドーナツ状の前面２１および所定面積を有するドーナツ状の後面２２と、内周縁部２３および外周縁部２４と、内周縁部２３に囲繞された中央開口２５とを有する。
【００９８】
脱臭具１９Ｄは、連続気泡を有する軟質ポリウレタンフォーム２６と、空気に含まれる臭いを吸着する活性炭粉末と、ポリウレタンフォーム２６を支持する第１支持フレーム２７Ａおよび第２支持フレーム２７Ｂと、前面２１を形成するネット２８（通気性の包装シート）および後面２２を形成するネット２８（通気性の包装シート）とから形成されている。活性炭粉末は、所定のバインダー（接着剤）によって軟質ポリウレタンフォーム２６の壁面３１に固着され、または、ポリウレタンフォーム２６に練り込まれている。
【００９９】
第１支持フレーム２７Ａは、プラスチック板や金属板から作られ、脱臭具１９Ｄの内周縁部２３に位置して周り方向へ延びる内周枠３２と、脱臭具１９Ｄの外周縁部２４に位置して周り方向へ延びる外周枠３３と、内周枠３２と外周枠３３とに繋がって径方向へ直状に延びる連結枠３４とを有する。フレーム２７Ａでは、内周枠３２と外周枠３３と連結枠３４とが一体成形されている。フレーム２７Ａは、脱臭具１９Ｄの前面２１の側であってポリウレタンフォーム２６とネット２８との間に配置されている。
【０１００】
第２支持フレーム２７Ｂは、プラスチック板や金属板から作られ、脱臭具１９Ｄの内周縁部２３に位置して周り方向へ延びる内周枠３２と、脱臭具１９Ｄの外周縁部２４に位置して周り方向へ延びる外周枠３３と、内周枠３２と外周枠３３とに繋がって径方向へ直状に延びる連結枠３４とを有する。フレーム２７Ｂでは、内周枠３２と外周枠３３と連結枠３４とが一体成形されている。フレーム２７Ｂは、脱臭具１９Ｄの後面２２の側であってポリウレタンフォーム２６とネット２８との間に配置されている。
【０１０１】
ポリウレタンフォーム２６は、脱臭具１９Ａのそれと同一である。ポリウレタンフォーム２６は、第１および第２支持フレーム２７Ａ，２７Ｂの間に介在している。ポリウレタンフォーム２６の厚み寸法や質量、面速は、脱臭具１９Ａのそれらと同一であり、厚み寸法や質量、面速をその範囲にする理由は、脱臭具１９Ａのそれと同一である。ネット２８は、脱臭具１９Ａのそれと同一であり、ポリウレタンフォーム２６および第１および第２支持フレーム２７Ａ，２７Ｂの全体を包被している。ポリウレタンフォーム２６が第１および第２支持フレーム２７Ａ，２７Ｂに支持された状態で、フレーム２７Ａ，２７Ｂの全体とポリウレタンフォーム２６の全体とがネット２８に包被されている。
【０１０２】
脱臭具１９Ｄを扇風機１０Ａ〜１０Ｃに取り付ける手順は、脱臭具１９Ａを扇風機１０Ａに取り付ける手順と同一である（図８援用）。脱臭具１９Ｄを扇風機１０Ａ，１０Ｂに取り付けると、脱臭具１９Ｄが後ガード１８と羽根１６との間に位置し、脱臭具１９Ｄの外周縁部１４が羽根１６の径方向の寸法を二分する第１分割線Ｌ１の近傍に位置し（図２，１１援用）、または、外周縁部２４が第１分割線Ｌ１によって区分された羽根１６の内側域Ｍ１と外側域Ｍ２とのうちの内側域Ｍ１に位置する。また、脱臭具１９Ｄを扇風機１０Ｃに取り付けると、脱臭具１９Ｄが後ガード１８と羽根１６との間に位置し、脱臭具１９Ｄの外周縁部２４が羽根１６の径方向の寸法を二分する第１分割線Ｌ１によって区分された羽根１６の内側域Ｍ１と外側域Ｍ２とのうちの外側域Ｍ２に位置する。
【０１０３】
後ガード１８の後方から扇風機１０Ａ〜１０Ｃに進入した空気は、ネット２８を通過し、脱臭具１９Ｄの後面２２からポリウレタンフォーム２６の通気路２９に進入し、通気路２９を通流した後、ネット２８を通過して前ガード１７から扇風機１０Ａ〜１０Ｃの前方へ送風される。径方向や厚み方向、周り方向へ不規則に曲折して延びるポリウレタンフォーム２６の通気路２９に進入した空気は、通気路２９の壁面３１に接触し、空気に含まれる臭気成分やたばこ臭、ノネナール臭が通気路２９に形成された活性炭の被覆層や通気路２９に露出する活性炭に吸着される。脱臭具１９Ｄによって臭気成分やたばこ臭、ノネナール臭が除去された無臭かつ清浄な空気が前ガード１７から扇風機１０Ａ〜１０Ｃの前方へ送風される。
【０１０４】
図２１は、他の一例として示す脱臭具１９Ｅの背面図であり、図２２は、図２１のＥ−Ｅ線矢視断面図である。図２１では、径方向を矢印Ｘで示し、周り方向を矢印Ｚで示す。なお、脱臭具１９Ｅの正面図は、図５と同一に表れる。この脱臭具１９Ｅが図１のそれと異なるところは、支持フレームが第１支持フレーム２７Ａと第２支持フレーム２７Ｂとから形成されている点、包装シートが前面２１を形成するネット２８と後面２２を形成するフィルタ４２とから作られている点にあり、その他の構成は図３の脱臭具１９Ａのそれらと同一であるから、図３の脱臭具１９Ａと同一の符号を付すとともに脱臭具１９Ａの説明を援用することで、脱臭具１９Ｅにおけるその他の構成の詳細な説明は省略する。
【０１０５】
脱臭具１９Ｅは、脱臭具１９Ａと同様に、扇風機１０Ａ〜１０Ｃの羽根１６と後ガード１８との間であってガード１８の直前に着脱可能に取り付けられ、扇風機１０Ａ〜１０Ｃを通過する空気に含まれる臭い（臭気成分、たばこ臭、ノネナール臭）を除去する。脱臭具１９Ｅは、所定面積を有するドーナツ状の前面２１および所定面積を有するドーナツ状の後面２２と、内周縁部２３および外周縁部２４と、内周縁部２３に囲繞された中央開口２５とを有する。
【０１０６】
脱臭具１９Ｅは、連続気泡を有する軟質ポリウレタンフォーム２６と、空気に含まれる臭いを吸着する活性炭粉末と、ポリウレタンフォーム２６を支持する第１支持フレーム２７Ａおよび第２支持フレーム２７Ｂと、前面２１を形成するネット２８（通気性の包装シート）および後面２２を形成して微細な不純物を捕集するフィルタ４２（通気性の包装シート）とから形成されている。活性炭粉末は、所定のバインダー（接着剤）によって軟質ポリウレタンフォーム２６の壁面３１に固着され、または、ポリウレタンフォーム２６に練り込まれている。なお、ネット２８が後面２２を形成し、フィルタ４２が前面２１を形成する場合がある。
【０１０７】
第１支持フレーム２７Ａは、脱臭具１９Ｄのそれと同一であり、脱臭具１９Ｅの前面２１の側であってポリウレタンフォーム２６とネット２８との間に配置されている。第２支持フレーム２７Ｂは、脱臭具１９Ｄのそれと同一であり、脱臭具１９Ｅの後面２２の側であってポリウレタンフォーム２６とフィルタ４２との間に配置されている。ポリウレタンフォーム２６は、脱臭具１９Ａのそれと同一である。ポリウレタンフォーム２６は、第１および第２支持フレーム２７Ａ，２７Ｂの間に介在している。ポリウレタンフォーム２６の厚み寸法や質量、面速は、脱臭具１９Ａのそれらと同一であり、厚み寸法や質量、面速をその範囲にする理由は、脱臭具１９Ａのそれと同一である。
【０１０８】
ネット２８は、脱臭具１９Ａのそれと同一である。フィルタ４２は、脱臭具１９Ｂのそれと同一であり、エレクトレット化されていることが好ましい。ネット２８およびフィルタ４２は、ポリウレタンフォーム２６および第１および第２支持フレーム２７Ａ，２７Ｂの全体を包被している。ポリウレタンフォーム２６が第１および第２支持フレーム２７Ａ，２７Ｂに支持された状態で、フレーム２７Ａ，２７Ｂの全体とポリウレタンフォーム２６の全体とがネット２８およびフィルタ４２に包被されている。
【０１０９】
脱臭具１９Ｅを扇風機１０Ａ〜１０Ｃに取り付ける手順は、脱臭具１９Ａを扇風機１０Ａに取り付ける手順と同一である（図８援用）。脱臭具１９Ｅを扇風機１０Ａ，１０Ｂに取り付けると、脱臭具１９Ｅが後ガード１８と羽根１６との間に位置し、脱臭具１９Ｅの外周縁部１４が羽根１６の径方向の寸法を二分する第１分割線Ｌ１の近傍に位置し（図２，１１援用）、または、外周縁部２４が第１分割線Ｌ１によって区分された羽根１６の内側域Ｍ１と外側域Ｍ２とのうちの内側域Ｍ１に位置する。また、脱臭具１９Ｅを扇風機１０Ｃに取り付けると、脱臭具１９Ｅが後ガード１８と羽根１６との間に位置し、脱臭具１９Ｅの外周縁部２４が羽根１６の径方向の寸法を二分する第１分割線Ｌ１によって区分された羽根１６の内側域Ｍ１と外側域Ｍ２とのうちの外側域Ｍ２に位置する。
【０１１０】
後ガード１８の後方から扇風機１０Ａ〜１０Ｃに進入した空気は、フィルタ４２を通流し、脱臭具１９Ｅの後面２２からポリウレタンフォーム２６の通気路２９に進入し、通気路２９を通流した後、ネット２８を通過して前ガード１７から扇風機１０Ａ〜１０Ｃの前方へ送風される。空気がフィルタ４２を通流するときに空気に含まれる微細な塵埃や花粉、ＰＭ２．５等の不純物がフィルタ４２に捕集される。空気に含まれる微細な不純物がフィルタ４２によって除去されるから、ポリウレタンフォーム２６の通気路２９に不純物が付着することはなく、活性炭の臭い吸着機能が低下することはない。
【０１１１】
径方向や厚み方向、周り方向へ不規則に曲折して延びるポリウレタンフォーム２６の通気路２９に進入した空気は、通気路２９の壁面３１に接触し、空気に含まれる臭気成分やたばこ臭、ノネナール臭が通気路２９に形成された活性炭の被覆層や通気路２９に露出する活性炭に吸着される。フィルタ４２によって微細な不純物が除去されるとともに脱臭具１９Ｅによって臭気成分やたばこ臭、ノネナール臭が除去された無臭かつ清浄な空気が前ガード１７から扇風機１０Ａ〜１０Ｃの前方へ送風される。
【０１１２】
図２３は、他の一例として示す脱臭具１９Ｆの断面図である。なお、脱臭具１９Ｆの正面図は、図１７と同一に表れる。脱臭具１９Ｆの背面図は、図２１と同一に表れる。この脱臭具１９Ｆが図１のそれと異なるところは、支持フレームが第１支持フレーム２７Ａと第２支持フレーム２７Ｂとから形成されている点、包装シートが前面２１を形成するフィルタ４２と後面２２を形成するフィルタ４２とから作られている点にあり、その他の構成は図３の脱臭具１９Ａのそれらと同一であるから、図３の脱臭具１９Ａと同一の符号を付すとともに脱臭具１９Ａの説明を援用することで、脱臭具１９Ｃにおけるその他の構成の詳細な説明は省略する。
【０１１３】
脱臭具１９Ｆは、脱臭具１９Ａと同様に、扇風機１０Ａ〜１０Ｃの羽根１６と後ガード１８との間であってガード１８の直前に着脱可能に取り付けられ、扇風機１０Ａ〜１０Ｃを通過する空気に含まれる臭い（臭気成分、たばこ臭、ノネナール臭）を除去する。脱臭具１９Ｆは、所定面積を有するドーナツ状の前面２１および所定面積を有するドーナツ状の後面２２と、内周縁部２３および外周縁部２４と、内周縁部２３に囲繞された中央開口２５とを有する。
【０１１４】
脱臭具１９Ｆは、連続気泡を有する軟質ポリウレタンフォーム２６と、空気に含まれる臭いを吸着する活性炭粉末と、ポリウレタンフォーム２６を支持する第１支持フレーム２７Ａおよび第２支持フレーム２７Ｂと、前面２１を形成して微細な不純物を捕集するフィルタ４２および後面２２を形成して微細な不純物を捕集するフィルタ４２（通気性の包装シート）とから形成されている。活性炭粉末は、所定のバインダー（接着剤）によって軟質ポリウレタンフォーム２６の壁面３１に固着され、または、ポリウレタンフォーム２６に練り込まれている。
【０１１５】
第１支持フレーム２７Ａは、脱臭具１９Ｄのそれと同一であり、脱臭具１９Ｅの前面２１の側であってポリウレタンフォーム２６とフィルタ４２との間に配置されている。第２支持フレーム２７Ｂは、脱臭具１９Ｄのそれと同一であり、脱臭具１９Ｅの後面２２の側であってポリウレタンフォーム２６とフィルタ４２との間に配置されている。ポリウレタンフォーム２６は、脱臭具１９Ａのそれと同一である。ポリウレタンフォーム２６は、第１および第２支持フレーム２７Ａ，２７Ｂの間に介在している。ポリウレタンフォーム２６の厚み寸法や質量、面速は、脱臭具１９Ａのそれらと同一であり、厚み寸法や質量、面速をその範囲にする理由は、脱臭具１９Ａのそれと同一である。
【０１１６】
フィルタ４２は、脱臭具１９Ｃのそれと同一であり、エレクトレット化されていることが好ましい。フィルタ４２は、ポリウレタンフォーム２６および第１および第２支持フレーム２７Ａ，２７Ｂの全体を包被している。ポリウレタンフォーム２６が第１および第２支持フレーム２７Ａ，２７Ｂに支持された状態で、フレーム２７Ａ，２７Ｂの全体とポリウレタンフォーム２６の全体とがフィルタ４２に包被されている。
【０１１７】
脱臭具１９Ｆを扇風機１０Ａ〜１０Ｃに取り付ける手順は、脱臭具１９Ａを扇風機１０Ａに取り付ける手順と同一である（図８援用）。脱臭具１９Ｆを扇風機１０Ａ，１０Ｂに取り付けると、脱臭具１９Ｆが後ガード１８と羽根１６との間に位置し、脱臭具１９Ｆの外周縁部１４が羽根１６の径方向の寸法を二分する第１分割線Ｌ１の近傍に位置し（図２，１１援用）、または、外周縁部２４が第１分割線Ｌ１によって区分された羽根１６の内側域Ｍ１と外側域Ｍ２とのうちの内側域Ｍ１に位置する。また、脱臭具１９Ｆを扇風機１０Ｃに取り付けると、脱臭具１９Ｆが後ガード１８と羽根１６との間に位置し、脱臭具１９Ｆの外周縁部２４が羽根１６の径方向の寸法を二分する第１分割線Ｌ１によって区分された羽根１６の内側域Ｍ１と外側域Ｍ２とのうちの外側域Ｍ２に位置する。
【０１１８】
後ガード１８の後方から扇風機１０Ａ〜１０Ｃに進入した空気は、フィルタ４２を通流し、脱臭具１９Ｆの後面２２からポリウレタンフォーム２６の通気路２９に進入し、通気路２９を通流した後、フィルタ４２を通流して前ガード１７から扇風機１０Ａ〜１０Ｃの前方へ送風される。空気がフィルタ４２を通流するときに空気に含まれる微細な塵埃や花粉、ＰＭ２．５等の不純物がフィルタ４２に捕集される。空気に含まれる微細な不純物がフィルタ４２によって除去されるから、ポリウレタンフォーム２６の通気路２９に不純物が付着することはなく、活性炭の臭い吸着機能が低下することはない。
【０１１９】
径方向や厚み方向、周り方向へ不規則に曲折して延びるポリウレタンフォーム２６の通気路２９に進入した空気は、通気路２９の壁面３１に接触し、空気に含まれる臭気成分やたばこ臭、ノネナール臭が通気路２９に形成された活性炭の被覆層や通気路２９に露出する活性炭に吸着される。フィルタ４２によって微細な不純物が除去されるとともに脱臭具１９Ｆによって臭気成分やたばこ臭、ノネナール臭が除去された無臭かつ清浄な空気が前ガード１７から扇風機１０Ａ〜１０Ｃの前方へ送風される。
【０１２０】
脱臭具１９Ａ，１９Ｄを設置した扇風機１０Ａ〜１０Ｄは、空気に含まれる臭気成分を吸着する活性炭粉末が固着された軟質ポリウレタンフォーム２６や活性炭粉末を混入したポリウレタンフォーム２６を含む脱臭具１９Ａ，１９Ｄが羽根１６と後ガード１８との間に取り付けられているから、扇風機１０Ａ〜１０Ｄに進入した空気がポリウレタンフォーム２６の通気路２９を通流するときに、空気に含まれる臭気成分やたばこ臭、ノネナール臭を活性炭に吸着させることができ、扇風機１０Ａ〜１０Ｄを通過する空気に含まれる臭気成分やたばこ臭、ノネナール臭を取り除くことができる。脱臭具１９Ａ，１９Ｄを設置した扇風機１０Ａ〜１０Ｄは、空気に含まれる臭気成分やたばこ臭、ノネナール臭が活性炭によって除去されるから、それら臭いを除去した清浄な空気を作ることができ、送風と同時に無臭かつ清浄な空気を送気することができる。
【０１２１】
脱臭具１９Ｂ，１９Ｃ，１９Ｅ，１９Ｆを設置した扇風機１０Ａ〜１０Ｄは、脱臭具１９Ａ，１９Ｄを設置した扇風機１０Ａ〜１０Ｄが有する効果に加え、以下の効果を有する。脱臭具１９Ｂ，１９Ｃ，１９Ｅ，１９Ｆを設置した扇風機１０Ａ〜１０Ｄは、空気がフィルタ４２を通流するときに空気に含まれる微細な塵埃や花粉、ＰＭ２．５等の不純物がフィルタ４２に捕集され、空気に含まれる臭いとともにそれらの不純物を除去した無臭かつ清浄な空気を送気することができる。さらに、不純物がポリウレタンフォーム２６に付着することがないから、不純物がポリウレタンフォーム２６に付着することによる活性炭の臭い吸着機能の低下を防ぐことができ、空気に含まれる臭気成分やたばこ臭、ノネナール臭を活性炭に確実に吸着させることができる。
【０１２２】
扇風機１０Ａ〜１０Ｄは、後ガード１８から羽根１６に進入する空気の流速が遅く、空気がポリウレタンフォーム２６の通気路２９をゆっくりと通流するから、脱臭具１９Ａ〜１９Ｆを羽根１６と前ガード１７との間に設置する場合と比較し、空気の活性炭に対する接触時間を長くすることができ、空気に含まれる臭いを活性炭に確実に吸着させることができる。扇風機１０Ａ〜１０Ｄは、その稼働中に室内の空気がポリウレタンフォーム２６の通気路２９を通流した後、再び扇風機１０Ａ〜１０Ｄに進入して通気路２９を通流し、空気が通気路２９を繰り返し通流（循環）するから、室内の空気が脱臭具１９Ａ〜１９Ｆによって次第に浄化され、扇風機１０Ａ〜１０Ｄを長時間稼働させることでその脱臭機能を十分に発揮させることができ、室内の空気に含まれる臭気を確実に取り除くことができる。
【０１２３】
図２４は、脱臭具１９Ａ〜１９Ｆを設置した扇風機１０Ａ〜１０Ｃの脱臭機能の測定手順を説明する図であり、図２５は、図２４から続く扇風機１０Ａ〜１０Ｃの脱臭機能の測定手順を説明する図である。扇風機１０Ａ〜１０Ｃに脱臭具１９Ａ〜１９Ｆを取り付け、それぞれに対して臭気ガスの脱臭機能（臭気吸着機能）の測定を行った。なお、脱臭具１９Ａ〜１９Ｆは、脱臭具１９Ａ→脱臭具１９Ｂ→脱臭具１９Ｃ→脱臭具１９Ｄ→脱臭具１９Ｅ→脱臭具１９Ｆの順で扇風機１０Ａ〜１０Ｃに設置し、それら扇風機１０Ａ〜１０Ｃの脱臭機能を測定した（ガス検知管法）。
【０１２４】
測定に使用した測定ボックス５０は、透明なアクリルによって作られた６面体（立方体）であり、各辺の長さＬ１，Ｌ２，Ｌ３が１ｍであってその体積が１ｍ３である。第１測定として脱臭具１９Ａ〜１９Ｆを設置した扇風機１０Ａ〜１０Ｃを使用し、第２測定として脱臭具１９Ａ〜１９Ｆを設置していない扇風機１０Ａ〜１０Ｃを使用した。さらに、第３測定として扇風機１０Ａ〜１０Ｃを使用しない空測定を行った。
【０１２５】
ガス検知管法による第１測定では、各脱臭具１９Ａ〜１９Ｆを扇風機１０Ａ〜１０Ｃの羽根１６と後ガード１８との間に設置した後、各脱臭具１９Ａ〜１９Ｆを設置した扇風機１０Ａ〜１０Ｃと攪拌ファン（図示せず）とを図２４，２５に示す測定ボックス５０の内部に収容した。次に、攪拌ファンを稼働させ、設定したガス濃度となるように、測定ボックス５０の内部にガス検知管５１（株式会社ガステック製または光明理化学工業株式会社製）を使用して測定用臭気ガス（アンモニアガス、トリメチルアミンガス、メチルメルカプタンガス、硫化水素ガス、酢酸ガス、アセトアルデヒドガス）を注入した。脱臭具１９Ａ〜１９Ｆを設置した扇風機１０Ａ〜１０Ｃを稼働させ（風量：微風）、経過時間毎に測定ボックス５０の内部のガス濃度をガス検知管５１を使用して測定した。
【０１２６】
ガス検知管法による第２測定では、脱臭具１９Ａ〜１９Ｆを設置していない扇風機１０Ａ〜１０Ｃ（扇風機１０Ａ〜１０Ｃのみ）と攪拌ファン（図示せず）とを測定ボックス５０の内部に収容した。次に、攪拌ファンを稼働させ、設定したガス濃度となるように、測定ボックス５０の内部にガス検知管５１を使用して測定用臭気ガス（アンモニアガス、トリメチルアミンガス、メチルメルカプタンガス、硫化水素ガス、酢酸ガス、アセトアルデヒドガス）を注入した。扇風機１０Ａ〜１０Ｃを稼働させ（風量：微風）、経過時間毎に測定ボックス５０の内部のガス濃度をガス検知管５１を使用して測定した。
【０１２７】
ガス検知管法による第３測定では、扇風機１０Ａ〜１０Ｃを測定ボックス５０の内部に収容せず、攪拌ファン（図示せず）のみを測定ボックス５０の内部に収容した。次に、攪拌ファンを稼働させ、設定したガス濃度となるように、測定ボックス５０の内部にガス検知管５１を使用して測定用臭気ガス（アンモニアガス、トリメチルアミンガス、メチルメルカプタンガス、硫化水素ガス、酢酸ガス、アセトアルデヒドガス）を注入した。経過時間毎に測定ボックス５０の内部のガス濃度をガス検知管５１を使用して測定した。
【０１２８】
図２６は、アンモニアに対する測定結果を示す図である。測定用のアンモニアガスには、アンモニア水（２８％、特級）（小宗化学薬品株式会社）から発生させたアンモニアガスを使用した。アンモニアに対する測定条件は、アンモニア（初期ガス濃度：約３０ppm）、温度条件（室温）、測定時間（０分、１０分、３０分、１時間、３時間、６時間、ただし、測定値が定量下限（１ppm）未満になった時点で終了）である。
【０１２９】
図２６に示すように、経過時間０分において第１〜第３測定ではアンモニアガスの濃度が３０ppmであったが、１時間経過後において第１測定ではアンモニアガスの濃度が１８ppmに低下し、３時間経過後において第１測定ではアンモニアガスの濃度が１５ppmに低下し、６時間経過後において第１測定ではアンモニアガスの濃度が１２ppmに低下した。第１測定では、６時間経過後にアンモニアガスの濃度が初期ガス濃度の約１／３に減少したのに比較し、第２および第３測定では、アンモニアガスの濃度の大きな低下は見られなかった。
【０１３０】
図２６から明らかなように、脱臭具１９Ａ〜１９Ｆを設置した扇風機１０Ａ〜１０Ｃでは、アンモニアガスの濃度を確実に低減させることができ、アンモニア臭（し尿臭やたばこ臭）を有効に除去する効果があることが分かった。したがって、脱臭具１９Ａ〜１９Ｆを設置した扇風機１０Ａ〜１０Ｃは、空気に含まれるし尿臭やたばこ臭を確実に除去することができる。また、脱臭具１９Ａ〜１９Ｆを設置した扇風機１０Ａ〜１０Ｃは、それを所定時間稼働させることで、空気に含まれるし尿臭やたばこ臭を確実に除去することができる。
【０１３１】
図２７は、トリメチルアミンに対する測定結果を示す図である。測定用のトリメチルアミンガスには、トリメチルアミン水溶液（２８％）（東京化成工業株式会社）から発生させたトリメチルアミンガスを使用した。トリメチルアミンに対する測定条件は、トリメチルアミン（初期ガス濃度：約２０ppm）、温度条件（室温）、測定時間（０分、１０分、３０分、１時間、３時間、６時間、ただし、測定値が定量下限（１ppm）未満になった時点で終了）である。
【０１３２】
図２７に示すように、経過時間０分において、第１〜第３測定ではトリメチルアミンガスの濃度が２０ppmであったが、３０分経過後において第１測定ではトリメチルアミンガスの濃度が３ppmに低下し、１時間経過後において第１測定ではトリメチルアミンガスの濃度が２ppmに低下し、３時間経過後において第１測定ではトリメチルアミンガスの濃度が１ppmに低下した。第１測定では、３時間経過後にトリメチルアミンガスの濃度が初期ガス濃度の１／２０に減少したのに比較し、第２および第３測定では、トリメチルアミンガスの濃度の大きな低下は見られなかった。
【０１３３】
図２７から明らかなように、脱臭具１９Ａ〜１９Ｆを設置した扇風機１０Ａ〜１０Ｃでは、トリメチルアミンガスの濃度を確実に低減させることができ、トリメチルアミンガス臭（魚の腐敗臭）を有効に除去する効果があることが分かった。したがって、脱臭具１９Ａ〜１９Ｆを設置した扇風機１０Ａ〜１０Ｃは、空気に含まれる魚の腐敗臭（生ゴミの腐敗臭）を確実に除去することができる。また、脱臭具１９Ａ〜１９Ｆを設置した扇風機１０Ａ〜１０Ｃは、それを所定時間稼働させることで、空気に含まれる魚の腐敗臭（生ゴミの腐敗臭）を確実に除去することができる。
【０１３４】
図２８は、メチルメルカプタンに対する測定結果を示す図である。測定用のメチルメルカプタンガスには、メチルメルカプタンナトリウム水溶液（１５％）（小宗化学薬品株式会社）から発生させたメチルメルカプタンガスを使用した。メチルメルカプタンに対する測定条件は、メチルメルカプタン（初期ガス濃度：約４．０ppm）、温度条件（室温）、測定時間（０分、１０分、３０分、１時間、３時間、６時間、ただし、測定値が定量下限（０．１ppm）未満になった時点で終了）である。
【０１３５】
図２８に示すように、経過時間０分において、第１〜第３測定ではメチルメルカプタンガスの濃度が４．０ppmであったが、１０分経過後において第１測定ではメチルメルカプタンガスの濃度が＜０．１ppmに低下した（測定値が定量下限未満になったので、測定をその時点で終了）。これに対し、第２および第３測定では、メチルメルカプタンガスの濃度の低下は見られなかった。
【０１３６】
図２８から明らかなように、脱臭具１９Ａ〜１９Ｆを設置した扇風機１０Ａ〜１０Ｃでは、メチルメルカプタンガスの濃度を短時間に確実に低減させることができ、メチルメルカプタンガス臭（タマネギの腐敗臭）を有効に除去する効果があることが分かった。したがって、脱臭具１９Ａ〜１９Ｆを設置した扇風機１０Ａ〜１０Ｃは、空気に含まれるタマネギの腐敗臭（生ゴミの腐敗臭）を確実に除去することができる。また、脱臭具１９Ａ〜１９Ｆを設置した扇風機１０Ａ〜１０Ｃは、それを所定時間稼働させることで、空気に含まれるタマネギの腐敗臭（生ゴミの腐敗臭）を確実に除去することができる。
【０１３７】
図２９は、硫化水素に対する測定結果を示す図である。測定用の硫化水素ガスには、硫化鉄（ＩＩ）（硫化水素発生用）（小宗化学薬品株式会社）に稀釈酸を加えて発生させた硫化水素ガスを使用した。硫化水素に対する測定条件は、硫化水素（初期ガス濃度：約４．０ppm）、温度条件（室温）、測定時間（０分、１０分、３０分、１時間、３時間、６時間、ただし、測定値が定量下限（０．１ppm）未満になった時点で終了）である。
【０１３８】
図２９に示すように、経過時間０分において、第１〜第３測定では硫化水素ガスの濃度が４．０ppmであったが、１０分経過後において第１測定では硫化水素ガスの濃度が＜０．１ppmに低下した（測定値が定量下限未満になったので、測定をその時点で終了）。これに対し、第２および第３測定では、硫化水素ガスの濃度の低下は見られなかった。
【０１３９】
図２９から明らかなように、脱臭具１９Ａ〜１９Ｆを設置した扇風機１０Ａ〜１０Ｃでは、硫化水素ガスの濃度を短時間に確実に低減させることができ、硫化水素ガス臭（卵の腐敗臭）を有効に除去する効果があることが分かった。したがって、脱臭具１９Ａ〜１９Ｆを設置した扇風機１０Ａ〜１０Ｃは、空気に含まれる卵の腐敗臭（生ゴミの腐敗臭）を確実に除去することができる。また、脱臭具１９Ａ〜１９Ｆを設置した扇風機１０Ａ〜１０Ｃは、それを所定時間稼働させることで、空気に含まれる卵の腐敗臭（生ゴミの腐敗臭）を確実に除去することができる。
【０１４０】
図３０は、酢酸に対する測定結果を示す図である。測定用の酢酸ガスには、酢酸（特級）（小宗化学薬品株式会社）から発生させた酢酸ガスを使用した。酢酸に対する測定条件は、酢酸（初期ガス濃度：約５０ppm）、温度条件（室温）、測定時間（０分、１０分、３０分、１時間、３時間、６時間、ただし、測定値が定量下限（１ppm）未満になった時点で終了）である。
【０１４１】
図３０に示すように、経過時間０分において、第１〜第３測定では硫化水素ガスの濃度が５０ppmであったが、１０分経過後において第１測定では硫化水素ガスの濃度が＜１ppmに低下した（測定値が定量下限未満になったので、測定をその時点で終了）。これに対し、第２および第３測定では、硫化水素ガスの濃度の低下は見られなかった。
【０１４２】
図３０から明らかなように、脱臭具１９Ａ〜１９Ｆを設置した扇風機１０Ａ〜１０Ｃでは、酢酸ガスの濃度を短時間に確実に低減させることができ、酢酸ガス臭を有効に除去する効果があることが分かった。したがって、脱臭具１９Ａ〜１９Ｆを設置した扇風機１０Ａ〜１０Ｃは、空気に含まれる酢酸臭（生ゴミの腐敗臭）を確実に除去することができる。また、脱臭具１９Ａ〜１９Ｆを設置した扇風機１０Ａ〜１０Ｃは、それを所定時間稼働させることで、空気に含まれる酢酸臭（生ゴミの腐敗臭）を確実に除去することができる。
【０１４３】
図３１は、アセトアルデヒドに対する測定結果を示す図である。測定用のアセトアルデヒドガスには、アセトアルデヒド（一級）（和光純薬工業株式会社）から発生させたアセトアルデヒドガスを使用した。アセトアルデヒドに対する測定条件は、アセトアルデヒド（初期ガス濃度：約２０ppm）、温度条件（室温）、測定時間（０分、１０分、３０分、１時間、３時間、６時間、ただし、測定値が定量下限（１ppm）未満になった時点で終了）である。
【０１４４】
図３１に示すように、経過時間０分において第１〜第３測定ではアセトアルデヒドガスの濃度が２０ppmであったが、１時間経過後において第１測定ではアセトアルデヒドガスの濃度が９ppmに低下し、３時間経過後において第１測定ではアセトアルデヒドガスの濃度が８ppmに低下し、６時間経過後において第１測定ではアセトアルデヒドガスの濃度が６ppmに低下した。第１測定では、６時間経過後にアンモニアガスの濃度が初期ガス濃度の約１／３に減少したのに比較し、第２および第３測定では、アンモニアガスの濃度の変化は見られなかった。
【０１４５】
図３１から明らかなように、脱臭具１９Ａ〜１９Ｆを設置した扇風機１０Ａ〜１０Ｃでは、アセトアルデヒドガスの濃度を確実に低減させることができ、アセトアルデヒド臭（刺激的な青ぐさい臭い）を有効に除去する効果があることが分かった。したがって、脱臭具１９Ａ〜１９Ｆを設置した扇風機１０Ａ〜１０Ｃは、空気に含まれるアセトアルデヒド臭を確実に除去することができる。また、脱臭具１９Ａ〜１９Ｆを設置した扇風機１０Ａ〜１０Ｃは、それを所定時間稼働させることで、空気に含まれるアセトアルデヒド臭を確実に除去することができる。
【符号の説明】
【０１４６】
１０Ａ  扇風機
１０Ｂ  扇風機
１０Ｃ  扇風機
１４    モーターケース
１５    回転軸
１６    羽根
１７    前ガード
１８    後ガード
１９Ａ〜１９Ｆ  脱臭具
２０    ＬＥＤテープライト（ＬＥＤ照明）
２１    前面
２２    後面
２３    内周縁部
２４    外周縁部
２５    中央開口
２６    軟質ポリウレタンフォーム
２７    支持フレーム
２７Ａ  第１支持フレーム
２７Ｂ  第２支持フレーム
２８    ネット（包装シート）
２９    通気路
３０    通気口
３１    壁面
３２    内周枠
３３    外周枠
３４    連結枠
３７    ガード締付ナット
３８    螺子パイプ
３９    内周部
４２    フィルタ（包装シート）
Ｌ１    第１分割線
Ｌ２    第２分割線
Ｍ１    内側域
Ｍ２    外側域
Ｎ１    内側域
Ｎ２    中間域
Ｎ３    外側域
【図１】
2015129462.tif 000003
【図２】
2015129462.tif 000004
【図３】
2015129462.tif 000005
【図４】
2015129462.tif 000006
【図５】
2015129462.tif 000007
【図６】
2015129462.tif 000008
【図７】
2015129462.tif 000009
【図８】
2015129462.tif 000010
【図９】
2015129462.tif 000011
【図１０】
2015129462.tif 000012
【図１１】
2015129462.tif 000013
【図１２】
2015129462.tif 000014
【図１３】
2015129462.tif 000015
【図１４】
2015129462.tif 000016
【図１５】
2015129462.tif 000017
【図１６】
2015129462.tif 000018
【図１７】
2015129462.tif 000019
【図１８】
2015129462.tif 000020
【図１９】
2015129462.tif 000021
【図２０】
2015129462.tif 000022
【図２１】
2015129462.tif 000023
【図２２】
2015129462.tif 000024
【図２３】
2015129462.tif 000025
【図２４】
2015129462.tif 000026
【図２５】
2015129462.tif 000027
【図２６】
2015129462.tif 000028
【図２７】
2015129462.tif 000029
【図２８】
2015129462.tif 000030
【図２９】
2015129462.tif 000031
【図３０】
2015129462.tif 000032
【図３１】
2015129462.tif 000033